(57)【要約】ヘッドセットコードを保持するシステムは、雌サイドと、雌サイドに取り外し可能に取り付けられる雄サイドと、ヘッドセットコードを受け入れ取り外し可能に保持する第１の溝とを備える。いくつかの実施の形態において、雌サイドは、ヘッドセットコードが第１の溝に固定されるとき、ヘッドセットコードをカバーするために雄サイドの表面に取り外し可能に取り付けられるカバーを有する。いくつかの実施の形態において、雄サイドは、雌サイドの内側に取り付けられる。あるいは、雄サイドは、雌サイドの外側に取り付けられる。いくつかの実施の形態において、第１の溝は、約２ｍｍ以下の直径を有する。いくつかの実施の形態において、雌サイドは、物品の第１の部分を取り外し可能に物品の第２の部分に接続させる開閉機構に一体に形成される。
2013518472.tif 000002
【特許請求の範囲】
【請求項１】
ａ．雌サイドと、
ｂ．上記雌サイドに対して取り外し可能な雄サイドと、
ｃ．コードを受け止め、取り外し可能に保持する第1の溝と
を備えるヘッドセットコードを保持するシステム。
【請求項２】
上記第１の溝は、上記雄サイドの本体に設けられる請求項１記載のシステム。
【請求項３】
上記第１の溝は、上記雄サイドの本体から取り外される部材からなる請求項２記載のシステム。
【請求項４】
上記雄サイドは、上記第１の溝に上記ヘッドセットコードが取り付けられたとき、上記ヘッドセットコードをカバーする雄サイドの表面に着脱可能に設けられるカバーを備えている請求項２のシステム。
【請求項５】
上記第１の溝は、上記雌サイドの本体に設けられる請求項１記載のシステム。
【請求項６】
上記雄サイドは、上記雌サイドの内側に取り付けられる請求項１記載のシステム。
【請求項７】
上記雄サイドは、上記雌サイドの外側に取り付けられる請求項１記載のシステム。
【請求項８】
上記第１の溝は、約２ｍｍ以下の直径を有する請求項１記載のシステム。
【請求項９】
上記雌サイドは、物品の第１の部分を取り外し可能に物品の第２の部分に接続させる開閉機構に一体に形成される請求項１記載のシステム。
【請求項１０】
上記開閉機構は、１つ以上のスナップ、ボタン、取り外し可能なクリップ、ファスナの何れかである請求項９記載のシステム。
【請求項１１】
上記雌サイドは、１つ以上のネックレス、ブローチ、イヤリングのペア、ブレスレット、サングラスの飾り紐を含むアクセサリ洋品に設けられている請求項１記載のシステム。
【請求項１２】
当該システムは、上記ヘッドセットコードを取り外し可能に受け入れる更なる１つ以上の溝を有する請求項１記載のシステム。
【請求項１３】
ａ．更なる物品に設けられる受容本体と、
ｂ．ヘッドセットコードを受け入れ、取り外し可能に保持する第１の溝を有する、受容本体に取り外し可能に設けられた付属品と
を備えるヘッドセットホルダを保持するシステム。
【請求項１４】
上記第１の溝は、上記付属品の本体から取り外される部材に形成されている請求項１３記載のシステム。
【請求項１５】
上記付属品は、更に、上記第１の溝に上記ヘッドセットコードが取り付けられたとき、上記ヘッドセットコードをカバーする付属品の表面に取り外し可能に取り付けられるカバーを備える請求項１３記載のシステム。
【請求項１６】
上記付属品は、上記受容本体の内側に取り付けられる請求項１３記載のシステム。
【請求項１７】
上記付属品は、上記受容本体の外側に取り付けられる請求項１３記載のシステム。
【請求項１８】
上記第１の溝は、約２ｍｍ以下の直径を有する請求項１３記載のシステム。
【請求項１９】
上記更なる物品は、物品の第１の部分を取り外し可能に該物品の第２の部分に接続させる開閉機構である請求項１３のシステム。
【請求項２０】
上記開閉機構は、１つ以上のスナップ、ボタン、取り外し可能なクリップ、ファスナ、フックとループの何れかを備えたファスナ装置の何れかである請求項１９記載のシステム。
【請求項２１】
上記更なる物品は、１つ以上のネックレス、ブローチ、イヤリングのペア、ブレスレット、サングラスの飾り紐を含むアクセサリ洋品である請求項１３記載のシステム。
【請求項２２】
当該システムは、１つ以上の更なる溝を有する請求項１３記載のシステム。
【請求項２３】
ａ．ヘッドセットコードホルダの雄サイドに設けられた第１の溝にヘッドセットコードを固定し、
ｂ．上記ヘッドセットコードホルダの雌サイドに上記ヘッドセットコードホルダの雄サイドを取り外し可能に取り付け、上記雌サイドを少なくとも更なる物品に取り付ける
ヘッドセットコードホルダにヘッドセットコードを固定する方法。
【請求項２４】
上記ヘッドセットコードホルダの雄サイドを上記ヘッドセットコードホルダの雌サイドから取り外し、上記雄サイドを、上記第２の雌サイドに取り外し可能に取り付けるステップを含む請求項２３記載の方法。
【請求項２５】
上記更なる物品は、物品の第１の部分を取り外し可能に該物品の第２の部分に接続させる開閉機構である請求項２３記載の方法。
【請求項２６】
上記開閉機構は、１つ以上のスナップ、ボタン、取り外し可能なクリップ、ファスナである請求項２３記載の方法。
【請求項２７】
上記更なる物品は、１つ以上のネックレス、ブローチ、イヤリングのペア、ブレスレット、サングラスの飾り紐を含むアクセサリ洋品である請求項２３記載の方法。
【請求項２８】
上記雄サイドは、上記ヘッドセットコードを受け入れ、取り外し可能に保持する１つ以上の更なる溝を有する請求項２３記載の方法。
【請求項２９】
更に、上記雄サイドに取り外し可能にカバーを取り付けるステップを有する請求項２３記載の方法。
【請求項３０】
ａ．本体と、
ｂ．ヘッドセットコードを直接受け入れ、取り外し可能に固定する本体に一体的にモールド成形された第１の溝と
を備えるヘッドセットコードホルダ。
【請求項３１】
上記本体が更なる物品に取り付けられる請求項３０記載のヘッドセットコードホルダ。
【請求項３２】
上記本体は、１つ以上のバックパック、ランバーパック、スポーツバック、アームバンドに取り付けられる請求項３０記載のヘッドセットコードホルダ。
【請求項３３】
上記本体は、１つ以上のバックパック、ランバーパック、スポーツバック、アームバンドに取り外し可能に取り付けられる請求項３２記載のヘッドセットコードホルダ。
【請求項３４】
上記本体は、眼鏡フレームに取り付けられる請求項３０記載のヘッドセットコードホルダ。
【請求項３５】
上記本体は、眼鏡フレームに取り外し可能に設けられる請求項３４記載のヘッドセットコードホルダ。
【請求項３６】
上記第１の溝は、上記本体に横方向に揃って設けられている請求項３４記載のヘッドセットコードホルダ。
【請求項３７】
上記第１の溝は、上記本体に縦方向に揃って設けられている請求項３４記載のヘッドセットコードホルダ。
【請求項３８】
上記本体は、眼鏡フレームに設けられる請求項３０記載のヘッドセットコードホルダ。
【請求項３９】
上記第１の溝は、上記眼鏡フレームの耳つるに設けられる請求項３８記載のヘッドセットコードホルダ。
【請求項４０】
上記第１の溝は、上記本体に横方向に揃って設けられている請求項３９記載のヘッドセットコードホルダ。
【請求項４１】
上記第１の溝は、上記本体に縦方向に揃って設けられている請求項３９記載のヘッドセットコードホルダ。
【請求項４２】
更に、１つ以上の更なる溝を有する請求項３０記載のヘッドセットコードホルダ。
【請求項４３】
ａ．物品の第１の部分を取り外し可能に該物品の第２の部分に取り外し可能に接続する開閉機構に設けられた剛性本体と、
ｂ．直接ヘッドセットコードを受け入れ、取り外し可能に保持する本体に一体的にモールド成形された第１の溝と
を備えるヘッドセットコードホルダ。
【請求項４４】
上記第１の溝は、２ｍｍ以下の直径を有する請求項４３記載のヘッドセットコードホルダ。
【請求項４５】
上記開閉機構は、１つ以上の取り外し可能なクリップ又はファスナである請求項４３記載のヘッドセットコードホルダ。
【請求項４６】
上記剛性本体は、上記開閉機構と一体に設けられている請求項４５記載のヘッドセットコードホルダ。
【請求項４７】
上記剛性本体は、上記開閉機構に取り外し可能に設けられている請求項４５記載のヘッドセットコードホルダ。
【請求項４８】
上記剛性本体は、１種類以上のガラス、木材、又は金属で形成されている請求項４３記載のヘッドセットコードホルダ。
【請求項４９】
上記剛性本体は、打ち抜き金属又は成形金属である請求項４３記載のヘッドセットコードホルダ。
【請求項５０】
上記剛性本体は、モールド成形プラスチックである請求項４６記載のヘッドセットコードホルダ。
【請求項５１】
上記取り外し可能なクリップは、スポーツヘルメットに設けられている請求項５０記載のヘッドセットコードホルダ。
【請求項５２】
上記剛性本体は、上記ヘッドセットコードを受け入れ、取り外し可能に固定する１つ以上の更なる溝を有する請求項４３記載のヘッドセットコードホルダ。
【請求項５３】
ａ．アクセサリ洋品を有する本体と、
ｂ．直接ヘッドセットコードを受け入れ、取り外し可能に保持する本体に一体的に設けられた第１の溝と
を備えるヘッドセットコードホルダ。
【請求項５４】
上記本体は、少なくとも更なる物品に設けられる請求項５３記載のヘッドセットコードホルダ。
【請求項５５】
上記アクセサリ洋品は、１つ以上のネックレス、ブローチ、イヤリングのペア、ブレスレット、サングラスの飾り紐を含む請求項５３記載のヘッドセットコードホルダ。
【請求項５６】
上記本体は、１種類以上のガラス、木材、又は金属で形成されている請求項５５記載のヘッドセットコードホルダ。
【請求項５７】
上記第１の溝は、２ｍｍ以下の直径を有する請求項５３記載のヘッドセットコードホルダ。
【請求項５８】
上記本体は、上記ヘッドセットコードを受け入れ、取り外し可能に固定する１つ以上の更なる溝を有する請求項５３記載のヘッドセットコードホルダ。
【請求項５９】
ａ．少なくとも更なる物品が取り付けられる一部に識別可能な表面を有する本体と、
ｂ．直接ヘッドセットコードを受け入れ、取り外し可能に保持する本体に一体的に設けられた第１の溝と
を備えるヘッドセットコードホルダ。
【請求項６０】
上記本体は、１種類以上のゴム、プラスチック、又は金属で形成されている請求項５９記載のヘッドセットコードホルダ。
【請求項６１】
上記本体は、バッグと衣類の洋品とからなる物品のグループのうちの少なくとも１つの物品に取り付けられる請求項６０記載のヘッドセットコードホルダ。
【請求項６２】
上記第１の溝は、２ｍｍ以下の直径を有する請求項５９記載のヘッドセットコードホルダ。
【請求項６３】
上記本体は、上記ヘッドセットコードを受け入れ、取り外し可能に固定する１つ以上の更なる溝を有する請求項５９記載のヘッドセットコードホルダ。
【請求項６４】
上記本体は、縫い付け、リベット接合、熱圧着、粘性物質、化学的方法によって、少なくとも一の更なる物品に取り付けられる請求項５９記載のヘッドセットコードホルダ。
【請求項６５】
ａ．本体に設けられた複数のファスナの歯と、
ｂ．コードを受け入れ、取り外し可能に保持する１つ以上の本体に設けられた第１の溝と
を備えるヘッドセットコードホルダ。
【請求項６６】
上記第１の溝は、２ｍｍ以下の直径を有する請求項６５記載のヘッドセットコードホルダ。
【請求項６７】
上記本体は、１種類以上のゴム、プラスチック、又は金属で形成されている請求項６５記載のヘッドセットコードホルダ。
【請求項６８】
上記本体は、打ち抜き金属又は成形金属である請求項６５記載のヘッドセットコードホルダ。
【請求項６９】
上記本体は、モールド成形プラスチックである請求項６５記載のヘッドセットコードホルダ。
【請求項７０】
上記本体は、上記ヘッドセットコードを受け入れ、取り外し可能に固定する１つ以上の更なる溝を有する請求項６５記載のヘッドセットコードホルダ。
【請求項７１】
上記１つ以上の更なる溝は、異なる直径を有する請求項７０記載のヘッドセットコードホルダ。
【請求項７２】
上記歯は、第１の部分と第２の部分とを有し、第１の部分の各第１の本体は、第１の直径を有する第１の溝を有し、第２の部分の各第２の本体は、第２の直径を有する第２の溝を有する請求項６５記載のヘッドセットコードホルダ。
【発明の詳細な説明】
【関連出願】
【０００１】
本出願は、２０１０年２月３日に出願された係属中の米国特許出願第１２／６９９，７１３（発明の名称「（HEADSET CORD HOLDER）」）の一部継続出願であり、この出願は、引用することにより、本願に援用される。また、２０１０年１月２２日に出願された係属中の米国特許出願第１２／６９２，４７７（発明の名称「（HEADSET CORD HOLDER）」）の一部継続出願であり、この出願は、引用することにより、本願に援用される。また、２００８年１１月１２日に出願された係属中の米国特許出願第１２／２９１，７４０（発明の名称「（HEADSET CORD HOLDER）」）の一部継続出願であり、この出願は、引用することにより、本願に援用される。また、２００８年６月２７日に出願された係属中の米国特許出願第６１／１３３，４８７（発明の名称「（HEADSET CORD HOLDER）」）の一部継続出願であり、この出願は、引用することにより、本願に援用される。
【技術分野】
【０００２】
本発明は、コードホルダに関する。より詳しくは、本発明は、ヘッドセットコードを衣服及びバッグに固定する（affix）のに用いるヘッドセットコードホルダに関する。
【背景技術】
【０００３】
ヘッドセットコードは、ソース機器、例えば音楽プレーヤ又は携帯電話機からの信号を、ユーザが身に付けているイヤホンに伝送する。これらのヘッドセットコードは、一般的には、柔軟であり、ユーザによって邪魔にならない所に動かすことができるが、ユーザによるこのような操作は、コードが常に望ましくない位置に戻ろうとするので、不便であり（inconvenient）、多くの場合、非効率的である（inefficient）。
【発明の概要】
【０００４】
本発明は、ヘッドセットコードを衣服及び／又は他の洋品に固定する（affix）のに用いるヘッドセットコードホルダを提供する。ｉＰｏｄ（商標）、ｉＰｈｏｎｅ（商標）、あらゆる他の同様の携帯電話機、ＭＰ３プレーヤ又は音楽プレーヤ用のコードを含むあらゆるヘッドセットコードを、固定することができる。ヘッドセットコードホルダは、標準的なイヤホンコードの直径を有する単純な溝を備えるが、ヘッドセットコードを溝に押し込んだときに、コードを所定の位置に保持するのに十分なタイトな開口（opening tight）を有する。この溝は、ファスナの歯や操作具、衣服及びバッグに縫い付け、ピン留め、又はクリップ留めすることができる様々な洋品内に設計、すなわちモールド成形（designed into or molded into）することができる。
【課題を解決するための手段】
【０００５】
本発明の第１の特徴は、ヘッドセットコードを保持するシステムである。いくつかの実施の形態において、このシステムは、雌サイドと、雌サイドに対して取り外し可能な雄サイドと、コードを受け止め、取り外し可能に保持する第１の溝とを備える。いくつかの実施の形態において、第１の溝は、雄サイドの本体に設けられる。いくつかの実施の形態において、第１の溝は、雄サイドの本体に設けられる。いくつかの実施の形態において、第１の溝は、雄サイドの本体から取り外される部材に形成される。いくつかの実施の形態において、雄サイドは、第１の溝にヘッドセットコードが取り付けられたとき、ヘッドセットコードをカバーする雄サイドの表面に着脱可能に設けられるカバーを備えている。いくつかの実施の形態において、第１の溝は、雌サイドの本体に設けられる。更なる実施の形態において、雄サイドは、雌サイドの内側に取り付けられる。選択的に、雄サイドは、雌サイドの外側に取り付けられる。いくつかの実施の形態において、第１の溝は、約２ｍｍ以下の直径を有している。いくつかの実施の形態において、雌サイドは、物品の第１の部分を取り外し可能に物品の第２の部分に接続させる開閉機構に一体に形成される。いくつかの実施の形態において、開閉機構は、１種類以上のスナップ、ボタン、取り外し可能なクリップ、ファスナ、フックとループを備えたファスナ装置である。更なる実施の形態において、雌サイドは、１種類以上のネックレス、ブローチ、イヤリングのペア、ブレスレット、サングラスの飾り紐を含むアクセサリ洋品に設けられている。いくつかの実施の形態において、このシステムは、更に、ヘッドセットコードを取り外し可能に受け入れる更なる１つ以上の溝を有する。いくつかの実施の形態において、更なる１つ以上の溝は、雄サイドの本体から取り外される部材に形成される。
【０００６】
本発明の他の特徴は、ヘッドセットコードを保持するシステムである。このシステムは、更なる物品に設けられる受容本体と、ヘッドセットコードを受け入れ、取り外し可能に保持する第１の溝を有する、受容本体に取り外し可能に設けられた付属品とを備える。いくつかの実施の形態において、付属品の本体から取り外される部材を有する。いくつかの実施の形態において、付属品は、更に、第１の溝にヘッドセットコードが取り付けられたとき、ヘッドセットコードをカバーする、付属品の表面に取り外し可能に取り付けられるカバーを備える。いくつかの実施の形態において、付属品は、受容本体の内側に取り付けられる。いくつかの実施の形態において、付属品は、受容本体の外側に取り付けられる。いくつかの実施の形態において、第１の溝は、約２ｍｍ以下の直径を有する。いくつかの実施の形態において、更なる物品は、物品の第１の部分を取り外し可能に該物品の第２の部分に接続させる開閉機構である。いくつかの実施の形態において、開閉機構は、１つ以上のスナップ、ボタン、取り外し可能なクリップ、ファスナの何れかである。更なる実施の形態において、更なる物品は、１つ以上のネックレス、ブローチ、イヤリングのペア、ブレスレット、サングラスの飾り紐を含むアクセサリ洋品である。いくつかの実施の形態において、このシステムは、ヘッドセットコードを受け入れ取り外し可能に保持する１つ以上の更なる溝を有する。
【０００７】
更なる本発明の他の特徴は、ヘッドセットコードホルダにヘッドセットコードを固定する方法である。この方法は、ヘッドセットコードホルダの雄サイドに設けられた第１の溝にヘッドセットコードを固定し、ヘッドセットコードホルダの雌サイドにヘッドセットコードホルダの雄サイドを取り外し可能に取り付け、雌サイドを少なくとも更なる物品に取り付ける。いくつかの実施の形態において、この方法は、ヘッドセットコードホルダの雄サイドをヘッドセットコードホルダの雌サイドから取り外し、雄サイドを第２の雌サイドに取り外し可能に取り付ける。いくつかの実施の形態において、更なる物品は、物品の第１の部分を取り外し可能に該物品の第２の部分に接続する開閉機構である。いくつかの実施の形態において、開閉機構は、１つ以上のスナップ、ボタン、取り外し可能なクリップ、ファスナである。いくつかの実施の形態において、更なる物品は、１つ以上のネックレス、ブローチ、イヤリングのペア、ブレスレット、サングラスの飾り紐を含むアクセサリ洋品である。いくつかの実施の形態において、この方法は、雄サイドに取り外し可能にカバーを取り付けるステップを含む。
【０００８】
更なる実施の形態において、ヘッドセットコードホルダは、本体と、ヘッドセットコードを直接受け入れ、取り外し可能に固定する本体に一体的にモールド成形された第１の溝とを備える。いくつかの実施の形態において、本体は、更なる物品に取り付けられる。いくつかの実施の形態において、本体は、１つ以上のバックパック、ランバーパック、スポーツバック、アームバンドに取り付けられる。いくつかの実施の形態において、本体は、眼鏡フレームに設けられる。いくつかの実施の形態において、本体は、眼鏡フレームに取り外し可能に設けられる。いくつかの実施の形態において、第１の溝は、本体に横方向に揃って設けられている。更なる実施の形態において、第１の溝は、本体に縦方向に揃って設けられている。いくつかの実施の形態において、本体は、眼鏡フレームに設けられる。いくつかの実施の形態において、第１の溝は、眼鏡フレームの耳つるに設けられている。いくつかの実施の形態において、第１の溝は、本体に横方向に揃って設けられている。更なる実施の形態において、第１の溝は、本体に縦方向に揃って設けられている。いくつかの実施の形態において、ヘッドセットコードホルダは、１つ以上の更なる溝を有する。
【図面の簡単な説明】
【０００９】
【図１】図１Ａ〜１Ｄは、本発明の原理に基づいて、シャツのボタンにモールド成形された溝を有するヘッドセットコードホルダの一実施の形態を示す図である。
【図２】図２Ａ〜２Ｄは、本発明の原理に基づいて、ファスナ引具にモールド成形された溝を有するヘッドセットコードホルダの一実施の形態を示す図である。
【図３】図３Ａ、３Ｂは、本発明の原理に基づいて、バッグ及びパックに用いられるサイド結束バックルの前面にモールド成形された溝を有するヘッドセットコードホルダの一実施の形態を示す図である。
【図４】図４Ａ、４Ｂは、本発明の原理に基づいて、シャツのプラスチック製のスナップファスナの表面にモールド成形された溝を有するヘッドセットコードホルダの一実施の形態を示す図である。
【図５】図５Ａ〜５Ｄは、本発明の原理に基づいて、衣料品又はバッグに取り付けるクリップの外側にモールド成形された溝を有するヘッドセットコードホルダの一実施の形態を示す図である。
【図６】図６Ａ〜６Ｃは、本発明の原理に基づいて、バッグ及びパックに用いられるコキ（3-bar webbing slider）にモールド成形された溝を有するヘッドセットコードホルダの一実施の形態を示す図である。
【図７】図７Ａ〜７Ｄは、本発明の原理に基づいて、装飾品にモールド成形された溝を有するヘッドセットコードホルダの一実施の形態を示す図である。
【図８】図８は、本発明の原理に基づいて、磁石による取付を利用し、装飾品にモールド成形された溝を有するヘッドセットコードホルダの一実施の形態を示す図である。
【図９】図９Ａ、９Ｂは、本発明の原理に基づいて、略平行な２本の溝を有するヘッドセットコードホルダの一実施の形態を示す図である。
【図１０】図１０Ａ、１０Ｂは、本発明の原理に基づいて、交差した２本の溝を有するヘッドセットコードホルダの一実施の形態を示す図である。
【図１１】図１１Ａ、１１Ｂは、本発明の原理に基づいて、３本の溝を有するヘッドセットコードホルダの一実施の形態を示す図である。
【図１２】図１２は、本発明の原理に基づいて、バッグ及びパックに用いられるコキにモールド成形された溝を有するヘッドセットコードホルダの一実施の形態を示す図である。
【図１３】図１３は、ファスナの引具にモールド成形された溝を有するヘッドセットコードホルダの一実施の形態を示す図である。
【図１４】図１４Ａ及び１４Ｂは、ファスナの引具にモールド成形された１つ以上の溝を有するヘッドセットコードホルダの一実施の形態を示す図である。
【図１５】図１５Ａ−１５Ｉは、サングラスの飾り紐が接続された本体にモールド成形された、溝を有するヘッドセットコードホルダの一実施の形態を示す図である。
【図１６】図１６Ａ及び１６Ｂは、スポーツヘルメットに設けられた取り外し可能なクリップにモールド成形された溝を有するヘッドセットコードホルダの一実施の形態を示す図である。
【図１７】図１７Ａは、ジュエリーの一部にモールド成形された溝を有するヘッドセットコードホルダの一実施の形態を示す図であり、図１７Ｂは、ジュエリーの一部にモールド成形された溝を有するヘッドセットコードホルダの一実施の形態を示す拡大図である。
【図１８】図１８は、識別可能な表面を有する本体にモールド成形された溝を有するヘッドセットコードホルダの一実施の形態を示す図である。
【図１９Ａ】図１９Ａは、ファスナの歯にモールド成形された溝を有するヘッドセットコードホルダの一実施の形態を示す横断面図である。
【図１９Ｂ】図１９Ｂは、ファスナの歯にモールド成形された溝を有するヘッドセットコードホルダの一実施の形態を示す拡大図である。
【図１９Ｃ】図１９Ｃは、ファスナの歯にモールド成形された溝を有するヘッドセットコードホルダの一実施の形態を示す正面図である。
【図１９Ｄ】図１９Ｄは、ファスナの歯にモールド成形された溝を有するヘッドセットコードホルダのファスナが閉まっていない状態の斜視図である。
【図１９Ｅ】図１９Ｅは、ファスナの歯にモールド成形された溝を有するヘッドセットコードホルダのファスナが閉まった状態の斜視図である。
【図２０】図２０Ａ及び２０Ｂは、ヘッドセットコードホルダを保持するシステムの一実施の形態を示す図である。
【図２１】図２１は、ファスナの引具の本体に一体的に形成されたヘッドセットコードを保持するシステムの雌サイドの一実施の形態を示す図である。
【図２２】図２２は、ファスナの引具の本体に一体的に形成されたヘッドセットコードを保持するシステムの雌サイドの一実施の形態を示す図である。
【図２３】図２３は、バックとパックに用いられるサイド結束バックルの前面にモールド成形された雌サイドにヘッドセットコードを保持するシステムの一実施の形態を示す図である。
【図２４】図２４Ａ及び２４Ｂは、ヘッドセットコードホルダを保持するシステムの一実施の形態を示す図であり、図２４Ｃは、受容本体と付属品の結合機構の一実施の形態を示す拡大図である。
【図２５】図２５Ａは、ファスナの引具の本体に一体的に形成されたヘッドセットコードを保持するシステムの雌サイドの一実施の形態を示す図であり、図２５Ｂは、受容本体と付属品の結合機構の一実施の形態を示す拡大図である。
【図２６】図２６Ａ及び２６Ｂは、バックとパックに用いられるサイド結束バックルの前面にモールド成形された雌サイドにヘッドセットコードを保持するシステムの一実施の形態を示す図であり、図２６Ｃは、受容本体と付属品の結合機構の一実施の形態を示す拡大図である。
【図２７】図２７は、ヘッドセットコードホルダシステムにおいてヘッドセットコードホルダを固定する方法の一実施の形態を示す図である。
【図２８】図２８は、ヘッドセットコードを保持するシステムの一実施の形態を示す図である。
【図２９】図２９Ａ及び２９Ｂは、ヘッドセットコードを保持する溝を有する本体の一実施の形態を示す図である。
【発明を実施するための形態】
【００１０】
以下、本発明のいくつかの実施の形態について説明する。説明は、図面に示す好ましい実施の形態について行う。なお、本発明の範囲は、図面に示す実施の形態及びそれらの説明に限定されるものではなく、反対に、特許請求の範囲の文言に基づいて可能な限り広く解釈されるべきである。
【００１１】
本発明のいくつかの実施の形態を開示する。なお、一実施の形態の構成と他の実施の形態の構成は、組み合わせることができる。図面に示す実施の形態を組み合わせたこのような混成の構成についても、本発明の範囲内である。
【００１２】
図１Ａ〜１Ｄは、本発明の原理に基づいて、シャツのボタンの本体１１０にモールド成形（molded into）された溝１２０を有するヘッドセットコードホルダ１００の一実施の形態を示す図である。図１Ａ〜１Ｄは、それぞれ、ヘッドセットコードホルダ１００の側面図、正面図、平面図及び斜視図である。
【００１３】
本体１１０は、標準的なボタンの代わりに、シャツ又は他の衣服の洋品に取り付けられる。いくつかの実施の形態において、ヘッドセットコードホルダ１００の本体１１０には、本体１１０を衣服の洋品に縫い付ける、すなわち固定する（affix）ための１つ以上の穴（aperture）１１５が設けられている。いくつかの実施の形態において、本体１１０は、衣服の洋品の第１の部分を、衣料品（article of clothing）の第２の部分に開閉自在に閉じることができる開閉機構（closure mechanism）として機能する。例えば、いくつかの実施の形態において、本体１１０は、ドレスシャツ（dress shirt）に、その中央の前あき（center front placket）のボタンホール（hole）と反対側であって、対応する位置に取り付けられ、それにより、本体１１０は、ボタンホールに掛けられて、シャツのその部分をしっかりと閉じる（securely close）ことができる。
【００１４】
溝１２０は、本体１１０にモールド成形（molded）、すなわち設けられ（built into）ている。溝１２０は、ヘッドセットコードを受け止めて（receive）、取り外し可能に固定する（releasably secure）。いくつかの実施の形態において、溝１２０は、ヘッドセットコードを溝１２０に入れる（access）ことができる差込口空間１２５だけを残して、溝１２０の大部分を囲む溝壁１３０によって画定される。いくつかの実施の形態において、差込口空間１２５は、溝１２０及びヘッドセットコードよりも小さな直径を有し、それによって、溝壁１３０の範囲（confines）内でヘッドセットコードを固定し、それを取り外すためには、かなり大きな力を必要とする。いくつかの実施の形態において、溝壁１３０の一部は、差込口空間１２５を介して、ヘッドセットコードを押し込めるように柔軟（flexible）であり、ヘッドセットコードは、溝壁１３０をその進行方向に対して外側に広げて、差込口空間１２５の直径を一時的に拡大し、差込口空間１２５を通過して溝１２０内に達することができる。いくつかの実施の形態において、溝壁１３０はかなり硬く（substantially rigid）、それによって、ヘッドセットコードが溝壁１３０の両端部間の差込口空間１２５を通過するときに、そのスリーブ（outer sleeve）は収縮（constrict）される。
【００１５】
図２Ａ〜２Ｄは、本発明の原理に基づいて、ファスナ引具の溝がモールド成形された本体２１０を有するヘッドセットコードホルダ２００の一実施の形態を示す図である。図２Ａ〜２Ｄは、それぞれ、ヘッドセットコードホルダ２００の底面図、側面図、正面図及び平面図である。
【００１６】
本体２１０は、標準的なファスナの代わりに、バッグ又は衣服、例えばシャツの洋品に取り付けられる。いくつかの実施の形態において、本体２１０は、バッグ又は衣服の洋品の第１の部分を、衣料品の第２の部分に開閉自在に閉じることができる開閉機構として機能する。例えば、いくつかの実施の形態において、第１の部分のファスナトラック（zipper track）と第２の部分のファスナトラックを受け止めて、開閉自在に閉めるために、本体２１０は、側面２１５の反対側に形成されたチャネル（channel、図示せず）を有する。いくつかの実施の形態において、引具２４０は、それが取り付けられたバッグ又は衣服の洋品の一部に沿って本体２１０が移動するのを容易にするために、本体２１０に連結されている。いくつかの実施の形態において、引具２４０は、図２Ａ〜２Ｄに示すように、紐のループ（string loop）からなる（string loop）。いくつかの実施の形態において、引具２４０は、標準的な金属製又はプラスチック製の引具（図示せず）からなる。
【００１７】
溝２２０は、本体２１０にモールド成形、すなわち設けられている。溝２２０は、ヘッドセットコードを受け止めて、取り外し可能に固定する。いくつかの実施の形態において、溝２２０は、ヘッドセットコードを溝２２０に入れることを可能にする差込口空間２２５だけを残して、溝２２０の大部分を囲む溝壁２３０によって画定される。いくつかの実施の形態において、差込口空間２２５は、溝２２０及びヘッドセットコードよりも小さな直径を有し、それによって、溝壁２３０の範囲内でヘッドセットコードを固定し、それを取り外すためには、かなり大きな力を必要とする。いくつかの実施の形態において、溝壁２３０の一部は、差込口空間２２５を介して、ヘッドセットコードを押し込めるように柔軟であり、ヘッドセットコードは、溝壁２３０をその進行方向に対して外側に広げて、一時的に差込口空間２２５の直径を拡大し、差込口空間２２５を通過して溝２２０内に達することができる。いくつかの実施の形態において、溝壁２３０はかなり硬く、それによって、ヘッドセットコードが溝壁２３０の両端部間の差込口空間１２５を通過するときに、そのスリーブは収縮される。
【００１８】
図３Ａ、３Ｂは、本発明の原理に基づいて、バッグ及びパックに用いられるサイド結束バックル（side squeeze buckle）の前面にモールド成形された溝を有するヘッドセットコードホルダ３００の一実施の形態を示す図である。図３Ａ、３Ｂは、それぞれ、ヘッドセットコードホルダ３００の平面図及び側面図である。
【００１９】
サイド結束バックルは、バックルの帯紐又はウェッビング（buckle strap or webbing）３４０に連結された雌型バックル端部３１５と、バックルの帯紐又はウェッビング３４５に連結された雄型バックル端部３３５とを備える。雌型バックル端部３１５は、雄型バックル端部３３５を受け入れて、脱着可能に保持する。いくつかの実施の形態において、雌型バックル端部３１５と雄型バックル端部３３５のどちらかが、溝本体を備える。いくつかの実施の形態において、溝本体は、図３Ａ、３Ｂに示すように雌型バックル端部３１５と雄型バックル端部３３５のいずれかから突出した突出部３１０である。いくつかの実施の形態において、溝本体は、バックル端部の残りの部分から突出しておらず、むしろバックル端部の残りの部分と同じ高さである。さらに、いくつかの実施の形態において、突出部３１０を含む溝本体は、バックル端部に一体形成（integrally formed）され、一方、更なるいくつかの実施の形態において、溝本体は、バックル端部に取り付けられる別部材（separate component）である。いくつかの実施の形態において、溝本体は、第１の帯紐及び第１の帯紐に連結されたあらゆる洋品を、第２の帯紐及び第２の帯紐に連結されたあらゆる洋品に脱着可能に連結することができる開閉機構として機能する。例えば、いくつかの実施の形態において、溝本体は、ウェッビング３４０によってバッグの第１の部分に連結された雌型バックル端部３１５の一部である。雌型バックル端部３１５は、雄型バックル端部３３５に嵌合する。雄型バックル端部３３５は、帯紐又はウェッビング３４５によってバッグの第２の部分に連結されている。
【００２０】
溝３２０は、溝本体にモールド成形、すなわち設けられている。溝３２０は、ヘッドセットコードを受け止めて、取り外し可能に固定する。いくつかの実施の形態において、溝３２０は、ヘッドセットコードを溝３２０に入れることを可能にする差込口空間３２５だけを残して、溝３２０の大部分を囲む溝壁３３０によって画定される。いくつかの実施の形態において、差込口空間３２５は、溝３２０及びヘッドセットコードよりも小さな直径を有し、それによって、溝壁３３０の範囲内でヘッドセットコードを固定し、それを取り外すためには、かなり大きな力を必要とする。いくつかの実施の形態において、溝壁３３０の一部は、差込口空間３２５を介して、ヘッドセットコードを押し込めるように柔軟であり、ヘッドセットコードは、溝壁３３０をその進行方向に対して外側に広げて、一時的に差込口空間３２５の直径を拡大し、差込口空間３２５を通過して溝３２０内に達することができる。いくつかの実施の形態において、溝壁３３０はかなり硬く、それによって、ヘッドセットコードが溝壁３３０の両端部間の差込口空間３２５を通過するときに、そのスリーブは収縮される。
【００２１】
溝３２０は、その用途に応じて、様々な方向にモールド成形することができる。いくつかの実施の形態において、溝３２０は、バックル端部又は他の支持部材に対して回転するように構成された溝本体に設けられており、それによって、溝３２０は、所望の位置に回転することができる。
【００２２】
図４Ａ、図４Ｂは、本発明の原理に基づいて、プラスチック製又は金属製のスナップファスナの表面にモールド成形された溝４２０を有するヘッドセットコードホルダ４００の一実施の形態を示す図である。スナップファスナは、図４Ａに示すシャツ４６０、衣服の他の洋品又はバッグに用いられることを想定している。
【００２３】
シャツのスナップファスナ（shirt snap）は、雄型スナップ（male snap）４３５と、雌型スナップ（female snap）４４５とを備え、これらは、互いに取外可能に嵌合される。例えば、いくつかの実施の形態において、雄型スナップ４３５は、雌型スナップ４４５の開口（aperture）に確実に嵌合するスタッド（stud）４４０を有している。開口の周辺部（perimeter）は、雌型スナップ４４５のソケットリップ（socket lip）４５０及びベース（base）４５５の内側の円周によって画定される。いくつかの実施の形態において、ソケットリップ４５０は、開口部に向けてベース４５５よりも広げられており、スタッド４４０の端部は、スタッド４４０のベースよりも大きな直径を有する。このような構成において、スタッド４４０の端部は、開口部に挿入されたときに、ぱちっといってきちんと締まり（snaps into place）、ソケットリップ４５０から偶発的に離脱することが防止される。
【００２４】
シャツのスナップファスナは、溝本体４１０を備える。いくつかの実施の形態において、溝本体４１０は、雄型スナップ４３５又は雌型スナップ４４５に一体形成されている。さらに、いくつかの実施の形態において、溝本体４１０は、雄型スナップ４３５又は雌型スナップ４４５に取り付けられる別部材（distinct component）である。例えば、図４Ｂは、雄型スナップ４３５から分離された溝本体４１０を備えるヘッドセットコードホルダ４００の分解組立図である。溝本体４１０は、雄型スナップ４３５の開口に確実に嵌合するベーススタッド（base stud）４１５を有している。いくつかの実施の形態において、溝本体（スナップファスナの一部としての）は、衣服の洋品又はバッグの第１の部分を、衣料品又はバッグの第２の部分に取外可能に取り付けることができる開閉機構として機能する。
【００２５】
溝４２０は、溝本体４１０にモールド成形、すなわち設けられている。溝４２０は、ヘッドセットコードを受け止めて、取り外し可能に固定する。いくつかの実施の形態において、溝４２０は、ヘッドセットコードを溝４２０に入れることを可能にする差込口空間４２５だけを残して、溝４２０の大部分を囲む溝壁４３０によって画定される。いくつかの実施の形態において、差込口空間４２５は、溝４２０及びヘッドセットコードよりも小さな直径を有し、それによって、溝壁４３０の範囲内でヘッドセットコードを固定し、それを取り外すためには、かなり大きな力を必要とする。いくつかの実施の形態において、溝壁４３０の一部は、差込口空間４２５を介して、ヘッドセットコードを押し込めるように柔軟であり、ヘッドセットコードは、溝壁４３０をその進行方向に対して外側に広げて、一時的に差込口空間４２５の直径を拡大し、差込口空間４２５を通過して溝４２０内に達することができる。いくつかの実施の形態において、溝壁４３０はかなり硬く、それによって、ヘッドセットコードが溝壁４３０の両端部間の差込口空間４２５を通過するときに、そのスリーブは収縮される。図４Ａは、ユーザのシャツ４６０のスナップファスナとして使用中のヘッドセットコードホルダ４００を示している。ヘッドセットコードホルダ４００は、ユーザのｉＰｏｄ４７０をユーザのイヤホン４７５に接続するヘッドセットコード４６５を保持する。
【００２６】
溝４２０は、その用途に応じて、様々な方向にモールド成形することができる。いくつかの実施の形態において、溝４２０は、スナップファスナの残りの部分に対して回転するように構成された溝本体４１０に設けられており、溝４２０は、所望の位置に回転することができる。
【００２７】
図５Ａ〜図５Ｄは、本発明の原理に基づいて、クリップの外側にモールド成形された溝５２０を有するヘッドセットコードホルダ５００の一実施の形態を示す図である。クリップは、バッグ又は衣料品、例えばパンツ及びＴシャツの襟に取り付けることを想定している。
【００２８】
クリップは、バッグ又は衣服の洋品に取り付けられる本体５１０を有する。本体５１０は、第１の対向部５３５を有し、第１の対向部５３５は、第２の対向部５４５側へ湾曲しており、略Ｕ字形状のクリップを形成している。２つ対向部５３５、５４５の分離点（separation）は、これらを繋いでいる湾曲部分とともに、衣服の洋品又はバッグの一部を収容（receive）するチャネル（channel）５４０を形成している。いくつかの実施の形態において、このチャネル５４０により、本体５１０は、それが取り付けられたバッグ又は衣服の洋品に沿って、確実に移動することができる。
【００２９】
溝５２０は、本体５１０にモールド成形、すなわち設けられている。溝５２０は、ヘッドセットコードを受け止めて、取り外し可能に固定する。いくつかの実施の形態において、溝５２０は、ヘッドセットコードを溝５２０に入れることを可能にする差込口空間５２５だけを残して、溝５２０の大部分を囲む溝壁５３０によって画定される。いくつかの実施の形態において、差込口空間５２５は、溝５２０及びヘッドセットコードよりも小さな直径を有し、それによって、溝壁１３０の範囲内でヘッドセットコードを固定し、それを取り外すためには、かなり大きな力を必要とする。いくつかの実施の形態において、溝壁５３０の一部は、差込口空間５２５を介して、ヘッドセットコードを押し込めるように柔軟であり、ヘッドセットコードは、溝壁５３０をその進行方向に対して外側に広げて、一時的に差込口空間５２５の直径を拡大し、差込口空間５２５を通過して溝５２０内に達することができる。いくつかの実施の形態において、溝壁５３０はかなり硬く、それによって、ヘッドセットコードが溝壁５３０の両端部間の差込口空間５２５を通過するときに、そのスリーブは収縮される。
【００３０】
図６Ａ〜６Ｃは、本発明の原理に基づいて、コキ（3-bar webbing slider）にモールド成形された溝６２０を有するヘッドセットコードホルダ６００の一実施の形態を示す図である。コキは、バッグ及びパックのウェッビング及び帯紐に用いられることを想定している。
【００３１】
コキは、バッグのウェッビング又は帯紐６４０を通す（receive）本体６１０を有する。本体６１０は、バー（bar）によって区切られ、帯紐６４０を通す少なくとも２つの開口（openings）６３５、６４５を有する。これらの開口６３５、６４５と、分離バーとにより、本体６１０は、それが取り付けられた帯紐６４０に沿って、確実に移動することができる。
【００３２】
溝６２０は、本体６１０にモールド成形、すなわち設けられている。溝６２０は、ヘッドセットコード６６５を受け止めて、取り外し可能に固定する。いくつかの実施の形態において、溝６２０は、ヘッドセットコード６６５を溝６２０に入れることを可能にする差込口空間６２５だけを残して、溝６２０の大部分を囲む溝壁６３０によって画定される。いくつかの実施の形態において、差込口空間６２５は、溝６２０及びヘッドセットコード６６５よりも小さな直径を有し、それによって、溝壁６３０の範囲内でヘッドセットコード６６５を固定し、それを取り外すためには、かなり大きな力を必要とする。いくつかの実施の形態において、溝壁６３０の一部は、差込口空間６２５を介して、ヘッドセットコード６６５を押し込めるように柔軟であり、ヘッドセットコード６６５は、溝壁６３０をその進行方向に対して外側に広げて、一時的に差込口空間６２５の直径を拡大し、差込口空間６２５を通過して溝６２０内に達することができる。いくつかの実施の形態において、溝壁６３０はかなり硬く、それによって、ヘッドセットコード６６５が溝壁６３０の両端部間の差込口空間６２５を通過するときに、そのスリーブは収縮される。
【００３３】
図１２は、本発明の原理に基づいて、バッグ及びパックに用いられるコキ（slider）にモールド成形された溝を有するヘッドセットコードホルダ１２００の他の実施の形態を示す図である。コキは、ウェッビング及び帯紐に用いることができる。コキは、ウェッビング又は帯紐を通す本体を有する。本体は、帯紐を通す少なくとも２つの開口１２３５、１２４５を有する。これらの開口１２３５、１２４５と、分離バーとにより、本体は、それが取り付けられた帯紐に沿って、確実に移動することができる。
【００３４】
溝１２２０は、本体にモールド成形、すなわち設けられている。溝１２２０は、ヘッドセットコード１２６５を受け止めて、取り外し可能に固定する。いくつかの実施の形態において、溝１２２０は、ヘッドセットコード１２６５を溝１２２０に入れることを可能にする差込口空間だけを残して、溝１２２０の大部分を囲む溝壁１２３０によって画定される。いくつかの実施の形態において、差込口空間は、溝１２２０及びヘッドセットコード１２６５よりも小さな直径を有し、それによって、溝壁１２３０の範囲内でヘッドセットコード１２６５を固定し、それを取り外すためには、かなり大きな力を必要とする。いくつかの実施の形態において、溝壁１２３０の一部は、差込口空間１２２５を介して、ヘッドセットコード１２６５を押し込めるように柔軟であり、ヘッドセットコード１２６５は、溝壁１２３０をその進行方向に対して外側に広げて、一時的に差込口空間１２２５の直径を拡大し、差込口空間１２２５を通過して溝１２２０内に達することができる。いくつかの実施の形態において、溝壁１２３０はかなり硬く、それによって、ヘッドセットコード１２６５が溝壁１２３０の両端部間の差込口空間１２２５を通過するときに、そのスリーブは収縮される。
【００３５】
図６Ａ〜図６Ｃに示す連続した溝壁６３０とは対照的に、溝１２２０を画定する溝壁１２３０は、分割されている。いくつかの実施の形態において、分割されて対向する溝壁１２３０は、互いにオフセットされている。溝壁１２３０を分割及びオフセットすることによって、溝１２２０は、ヘッドセットコード１２６５を押し込む（receive）ことができる更なる又は他の差込口空間を備える。
【００３６】
図７Ａ〜図７Ｄは、本発明の原理に基づいて、装飾品にモールド成形された溝７２０を有するヘッドセットコードホルダ７００、７０５を示す図である。いくつかの実施の形態において、装飾品は、その機能的構造とは無関係な美的特徴、例えば図７Ａ、図７Ｂでは星形、図７Ｃ、図７Ｄでは月形を有する装飾的なアクセサリである。図１〜図６、図１２に示すボタン、ファスナ、バックル、スナップファスナ、クリップ及びコキは、それらの機能的構造とは無関係な美的特徴を持っていないので、装飾品ではない。なお、これらは、それらの機能とは完全に無関係な特定の美的形状を有するように変更した場合、装飾品と考えることができる。
【００３７】
装飾品は、バッグ又は衣料品、例えばシャツ７６０に取外可能に固定される本体７１０を備えている。いくつかの実施の形態において、本体７１０は、そのベースから延出したピン７３５を有する。ピン７３５は、バッグ又は衣服の洋品を貫通するように構成されている。いくつかの実施の形態において、バッグ又は衣料品に装飾品を留めるのを容易にするために、１つ以上のフランジ７４０が、ピン７３５の先端近傍に設けられている。いくつかの実施の形態において、バッグ又は衣料品に対して装飾品を確実に留めるために、リリース（releases）７５０を有する留め金７４５（clasp）が、装飾品の一部として準備されている。
【００３８】
溝７２０は、本体７１０にモールド成形、すなわち設けられている。溝７２０は、ヘッドセットコードを受け止めて、取り外し可能に固定する。いくつかの実施の形態において、溝７２０は、ヘッドセットコード７６５を溝７２０に入れることを可能にする差込口空間７２５だけを残して、溝７２０の大部分を囲む溝壁７３０によって画定される。いくつかの実施の形態において、差込口空間７２５は、溝７２０及びヘッドセットコード７６５よりも小さな直径を有し、それによって、溝壁７３０の範囲内でヘッドセットコード７６５を固定し、それを取り外すためには、かなり大きな力を必要とする。さらに、いくつかの実施の形態において、溝壁７３０の一部は、差込口空間７２５を介して、ヘッドセットコード７６５を押し込めるように柔軟であり、ヘッドセットコード７６５は、溝壁７３０をその進行方向に対して外側に広げて、一時的に差込口空間７２５の直径を拡大し、差込口空間７２５を通過して溝７２０内に達することができる。いくつかの実施の形態において、溝壁７３０はかなり硬く、それによって、ヘッドセットコード７６５が溝壁７３０の両端部間の差込口空間７２５を通過するときに、そのスリーブは収縮される。図７Ａは、ユーザのシャツ７６０に使用中のヘッドセットコードホルダ７００を示している。ヘッドセットコードホルダ７００は、ユーザのｉＰｏｄ７７０をユーザのイヤホン７７５に接続するヘッドセットコード７６５を保持する。
【００３９】
図７Ｄには、留めるためにピンを用いた本体を示したが、本体は、バッグ又は衣料品に取外可能に固定する他の手段を採用することもできる。例えば、図８は、本発明の原理に基づいて、磁石による取付を利用し、装飾品にモールド成形された溝を有するヘッドセットコードホルダ８００の一実施の形態を示す図である。
【００４０】
装飾品は、磁石８３５を有する本体８１０を備えている。磁石８３５は、様々な方法で本体８１０に配置することができる。いくつかの実施の形態において、磁石８３５は、本体８１０内に埋め込まれている。いくつかの実施の形態において、磁石８３５は、本体８１０の外表面に取り付けられる。磁石８３５は、本体８１０を、洋品８６０、例えばバッグ又は衣料品に、洋品８６０に配置された対応する磁石又は金属片８４５に対する磁気吸引力による結合によって、取外可能に固定する。対応する磁石又は金属片８４５は、様々な方法で洋品８６０に配置することができる。いくつかの実施の形態において、対応する磁石又は金属片８４５は、洋品８６０内に埋め込まれている。いくつかの実施の形態において、対応する磁石又は金属片８４５は、洋品８６０の外表面に取り付けられている。
【００４１】
溝８２０は、本体８１０にモールド成形、すなわち設けられている。溝８２０は、ヘッドセットコードを受け止めて、取り外し可能に固定する。いくつかの実施の形態において、溝８２０は、ヘッドセットコードを溝８２０に入れることを可能にする差込口空間８２５だけを残して、溝８２０の大部分を囲む溝壁８３０によって画定される。いくつかの実施の形態において、差込口空間８２５は、溝８２０及びヘッドセットコードよりも小さな直径を有し、それによって、溝壁８３０の範囲内でヘッドセットコードを固定し、それを取り外すためには、かなり大きな力を必要とする。いくつかの実施の形態において、溝壁８３０の一部は、差込口空間８２５を介して、ヘッドセットコードを押し込めるように柔軟であり、ヘッドセットコードは、溝壁８３０をその進行方向に対して外側に広げて、一時的に差込口空間８２５の直径を拡大し、差込口空間８２５を通過して溝８２０内に達することができる。いくつかの実施の形態において、溝壁８３０はかなり硬く、それによって、ヘッドセットコードが溝壁８３０の両端部間の差込口空間８２５を通過するときに、そのスリーブは収縮される。
【００４２】
さらに、いくつかの実施の形態において、上述した実施の形態を変更して、更なる溝を設けている。更なる溝は、様々な理由で設けられており、様々な目的に合うように構成されている。
【００４３】
図９Ａ、図９Ｂは、本発明の原理に基づいて、略平行な２本の溝を有するヘッドセットコードホルダ９００の実施の形態を示す図である。図９Ａ、図９Ｂは、図４Ａ、図４Ｂに示すスナップファスナと同様のスナップファスナに設けられた２本の溝を示しているが、この２本の溝構造及び他の複数本の溝構造は、本発明の原理に基づく任意の数の溝構造の実施の形態に含まれるものとする。
【００４４】
ヘッドセットコードホルダ９００は、溝本体９１０を備える。第１の溝９２０ａ及び第２の溝９２０ｂは、溝本体９１０にモールド成形、すなわち設けられている。溝９２０ａ、９２０ｂは、ヘッドセットコード９６５を受け止めて、取り外し可能に固定するとともに、互いに略平行である。いくつかの実施の形態において、溝９２０ａ、９２０ｂは、ヘッドセットコード９６５を溝９２０ａ、９２０ｂに入れることを可能にする差込口空間９２５ａ、９２５ｂだけを残して、溝９２０ａ、９２０ｂの大部分を囲む溝壁９３０ａ、９３０ｂによってそれぞれ画定される。いくつかの実施の形態において、差込口空間９２５ａ、９２５ｂは、溝９２０ａ、９２０ｂ及びヘッドセットコード９６５よりも小さな直径を有し、それによって、溝壁９３０ａ、９３０ｂの範囲内でヘッドセットコード９６５を固定し、それを取り外すためには、かなり大きな力を必要とする。いくつかの実施の形態において、溝壁９３０ａ、９３０ｂの一部は、差込口空間９２５ａ、９２５ｂを介して、ヘッドセットコード９６５を押し込めるように柔軟であり、ヘッドセットコード９６５は、溝壁９３０ａ、９３０ｂをその進行方向に対して外側に広げて、一時的に差込口空間９２５ａ、９２５ｂの直径を拡大し、差込口空間９２５ａ、９２５ｂを通過して溝９２０ａ、９２０ｂ内に達することができる。いくつかの実施の形態において、溝壁９３０ａ、９３０ｂはかなり硬く、それによって、ヘッドセットコード９６５が溝壁９３０ａ、９３０ｂの両端部間の差込口空間９２５ａ、９２５ｂを通過するときに、そのスリーブは収縮される。
【００４５】
図９Ｂは、使用中のヘッドセットコードホルダ９００を示している。ヘッドセットコードホルダ９００は、ユーザの機器をユーザのイヤホン９７５に接続するヘッドセットコード９６５の上部の分岐コード（upper branches）を保持する。２本の溝を用いることにより、本発明は、ヘッドセットコード９６５の両方の分岐コードをそれぞれ固定することができる。
【００４６】
図１０Ａ、１０Ｂは、本発明の原理に基づいて、交差した２本の溝を有するヘッドセットコードホルダ１０００の一実施の形態を示す図である。図１０Ａ、図１０Ｂは、図４Ａ、４Ｂに示すスナップファスナと同様のスナップファスナに設けられた２本の溝を示しているが、この２本の溝構造及び他の複数の溝構造は、本発明の原理に基づく任意の数の溝構造の実施の形態に含まれるものとする。
【００４７】
ヘッドセットコードホルダ１０００は、溝本体１０１０を備える。第１の溝１０２０ａ及び第２の溝１０２０ｂは、溝本体１０１０にモールド成形、すなわち設けられている。溝１０２０ａ、１０２０ｂは、ヘッドセットコード１０６５を受け止めて、取り外し可能に固定するとともに、それらの交点から分かれて延びる分岐パス（diverging path）を有する。いくつかの実施の形態において、溝１０２０ａ、１０２０ｂは、分岐パスを有するが、実際には互いに交差しない。
【００４８】
いくつかの実施の形態において、溝１０２０ａ、１０２０ｂは、ヘッドセットコード１０６５を溝１０２０ａ、１０２０ｂに入れることを可能にする差込口空間だけを残して、溝１０２０ａ、１０２０ｂの大部分を囲む溝壁１０３０ａ、１０３０ｂによってそれぞれ画定される。いくつかの実施の形態において、差込口空間は、溝１０２０ａ、１０２０ｂ及びヘッドセットコード１０６５よりも小さな直径を有し、それによって、溝壁１０３０ａ、１０３０ｂの範囲内でヘッドセットコード１０６５を固定し、それを取り外すためには、かなり大きな力を必要とする。いくつかの実施の形態において、溝壁１０３０ａ、１０３０ｂの一部は、差込口空間を介して、ヘッドセットコード１０６５を押し込めるように柔軟であり、ヘッドセットコード１０６５は、溝壁１０３０ａ、１０３０ｂをその進行方向に対して外側に広げて、一時的に差込口空間の直径を拡大し、差込口空間を通過して溝９２０ａ、９２０ｂ内に達することができる。いくつかの実施の形態において、溝壁１０３０ａ、１０３０ｂは、かなり硬く、それによって、ヘッドセットコード１０６５が溝壁１０３０ａ、１０３０ｂの両端部間の差込口空間を通過するときに、そのスリーブは収縮される。
【００４９】
図１０Ｂは、使用中のヘッドセットコードホルダ１０００を示している。ヘッドセットコードホルダ１０００は、ユーザの機器をユーザのイヤホン１０７５に接続するヘッドセットコード１０６５を保持する。分岐パスを有する２本の溝を用いることにより、ユーザは、どちらの方向にもヘッドセットコード１０６５を固定することができる。さらに、２本の溝９２０ａ、９２０ｂを用いることにより、図９Ｂに示す実施の形態と同様に、ヘッドセットコードの両方の分岐コードをそれぞれ固定することができる。
【００５０】
図１１Ａ、図１１Ｂは、本発明の原理に基づいて、３本の溝を有するヘッドセットコードホルダ１１００の一実施の形態を示す図である。図１１Ａ、図１１Ｂは、図４Ａ、図４Ｂに示すスナップファスナと同様のスナップファスナに設けられた３本の溝を示しているが、この３本の溝構造及び他の複数本の溝構造は、本発明の原理に基づく任意の数の溝構造の実施の形態に含まれるものとする。
【００５１】
ヘッドセットコードホルダ１１００は、溝本体１１１０を備える。第１の溝１１２０ａ、第２の溝１１２０ｂ及び第３の溝１１２０ｃは、溝本体１１１０にモールド成形、すなわち設けられている。溝１１２０ａ、１１２０ｂ、１１２０ｃは、ヘッドセットコード１１６５を受け止めて、取り外し可能に固定する。いくつかの実施の形態において、溝１１２０ａ、１１２０ｂ、１１２０ｃは、互いに略平行である。いくつかの実施の形態において、溝１１２０ａ、１１２０ｂ、１１２０ｃは、順次走っている（run in sequence）。なお、溝の配置に関しては、様々な異なる構成を採用することができる。さらに、いくつかの実施の形態において、図に示す２本又は３本以上の溝を溝本体に配置するようにしてもよい。
【００５２】
いくつかの実施の形態において、溝１１２０ａ、１１２０ｂ、１１２０ｃは、ヘッドセットコード１１６５を溝１１２０ａ、１１２０ｂ、１１２０ｃに入れることを可能にする差込口空間１１２５ａ、１１２５ｂ、１１２５ｃだけを残して、溝１１２０ａ、１１２０ｂ、１１２０ｃの大部分を囲む溝壁１１３０ａ、１１３０ｂ、１１３０ｃによってそれぞれ画定される。いくつかの実施の形態において、差込口空間１１２５ａ、１１２５ｂ、１１２５ｃは、溝１１２０ａ、１１２０ｂ、１１２０ｃ及びヘッドセットコード１１６５よりも小さな直径を有し、それによって、溝壁１１３０ａ、１１３０ｂ、１１３０ｃの範囲内でヘッドセットコード１１６５を固定し、それを取り外すためには、かなり大きな力を必要とする。いくつかの実施の形態において、溝壁１１３０ａ、１１３０ｂ、１１３０ｃの一部は、差込口空間１１２５ａ、１１２５ｂ、１１２５ｃを介して、ヘッドセットコード１１６５を押し込めるように柔軟であり、ヘッドセットコード１１６５は、溝壁１１３０ａ、１１３０ｂ、１１３０ｃをその進行方向に対して外側に広げて、一時的に差込口空間１１２５ａ、１１２５ｂ、１１２５ｃの直径を拡大し、差込口空間１１２５ａ、１１２５ｂ、１１２５ｃを通過して溝１１２０ａ、１１２０ｂ、１１２０ｃ内に達することができる。いくつかの実施の形態において、溝壁１１３０ａ、１１３０ｂ、１１３０ｃはかなり硬く、それによって、ヘッドセットコード１１６５が溝壁１１３０ａ、１１３０ｂ、１１３０ｃの両端部間の差込口空間１１２５ａ、１１２５ｂ、１１２５ｃを通過するときに、そのスリーブは収縮される。
【００５３】
図１１Ｂは、使用中のヘッドセットコードホルダ１１００を示している。ヘッドセットコードホルダ１１００は、ユーザの機器をユーザのイヤホン１１７５に接続するヘッドセットコード１１６５を保持する。３本の溝を用いることにより、ユーザは、ヘッドセットコード１１６５の余分な長さを固定及び／又は調節する手段を得ることができる。さらに、３本の溝のうちの２本の溝は、図９Ｂに示す実施の形態と同様に、ヘッドセットコードの両方の分岐コードをそれぞれ固定するのに用いることができる。
【００５４】
図１３は、ファスナの引具にモールド成形された溝を有するヘッドセットコードホルダ１３００の一実施の形態を示す図である。
【００５５】
本体１３１０は、ファスナヘッド１３５０に取り付けられる。この本体は、本体１３１０に接続される引具１３４０を有する。図１３に示すように、いくつかの実施の形態において、引具１３４０は、本体１３１０の中心を通るコードである。いくつかの実施の形態において、引具１３４０は、開口部３８０で本体１３１０と接続されている。いくつかの実施の形態において、本体１３１０は、１種類以上の木材、ガラス、又は金属で形成されている。
【００５６】
溝１３２０は、本体１３１０にモールド成形、すなわち設けられている。溝１３２０は、ヘッドセットコードを受け入れ、取り外し可能に固定する。いくつかの実施の形態において、溝１３２０は、ヘッドセットコードを溝１３２０に入れる（access）ことができる差込口空間１３２５だけを残して、溝１３２０の大部分を囲む溝壁１３３０によって画定される。いくつかの実施の形態において、差込口空間１３２５は、溝１３２０及びヘッドセットコード１３６５よりも小さな直径を有し、それによって、溝壁１３３０の範囲（confines）内でヘッドセットコードを固定し、それを取り外すためには、かなり大きな力を必要とする。いくつかの実施の形態において、溝壁１３３０の一部は、差込口空間１３２５を介して、ヘッドセットコードを押し込めるように柔軟（flexible）であり、ヘッドセットコードは、溝壁１３３０をその進行方向に対して外側に広げて、差込口空間１３２５の直径を一時的に拡大し、差込口空間１３２５を通過して溝１３２０内に達することができる。いくつかの実施の形態において、溝壁１３３０はかなり硬く（substantially rigid）、それによって、ヘッドセットコードが溝壁１３３０の両端部間の差込口空間１３２５を通過するときに、そのスリーブ（outer sleeve）は収縮（constrict）される。更に図１３に示すように、いくつかの実施の形態において、本体１３１０は、１つ以上の更なる溝を有する。これらの実施の形態において、ユーザは、対応する溝に、ヘッドセットコード１３６５の右側と左側を固定することができる。あるいは、いくつかの実施の形態において、溝の一本のみに、ヘッドセットコード１３６５の両側を固定することができる。
【００５７】
図１４Ａ及び図１４Ｂは、ファスナの引具１４５０の本体１４１０にモールド成形された溝を有するヘッドセットコードホルダの一実施の形態を示す図である。
【００５８】
ファスナ引具１４５０は、ジャケット、シャツのようなバッグ又は衣類の洋品に設けられる。いくつかの実施の形態において、本体１４１０は、バッグ又は衣服の洋品の第１の部分を、衣料品の第２の部分に開閉自在に閉じることができる開閉機構として機能する。例えば、いくつかの実施の形態において、本体１４１０は、第１の部分のファスナトラック（zipper track）と第２の部分のファスナトラックを受け止めて、開閉自在に閉めるために、対向する側面１４１５に形成されたチャネル（channel、図示せず）を有する。いくつかの実施の形態において、引具１４４０は、それが取り付けられたバッグ又は衣服の洋品の一部に沿って本体１４１０が移動するのを容易にするために、本体１４１０に連結されている。
【００５９】
溝１４２０は、モールド成形、すなわち設けられている。溝１４２０は、ヘッドセットコードを受け入れ、取り外し可能に固定する。いくつかの実施の形態において、図１４Ａ及び図１４Ｂに示すように、本体１４１０は、複数の溝１４２０を有している。しかし、当該技術分野において知られているように、本体１４１０は、何本溝を設けても良い。例えば、いくつかの実施の形態において、本体１４１０は、３本の溝（図示せず）で構成することができる。いくつかの実施の形態において、本体１４１０は、２本の上向きの溝及び下向きの溝とすることができる。いくつかの実施の形態において、本体１４１０は、打ち抜き金属又は成形金属で形成されている。いくつかの実施の形態において、図１４Ｂに示すように、本体１４１０は、複数の溝１４２０を有するモールド成形されたプラスチック部分が上側に設けられている。
【００６０】
いくつかの実施の形態において、溝１４２０は、ヘッドセットコードを溝１４２０に入れる（access）ことができる差込口空間１４２５だけを残して、溝１４２０の大部分を囲む溝壁１４３３０によって画定される。いくつかの実施の形態において、差込口空間１４２５は、溝１４２０及びヘッドセットコードよりも小さな直径を有し、それによって、溝壁１４３０の範囲（confines）内でヘッドセットコードを固定し、それを取り外すためには、かなり大きな力を必要とする。いくつかの実施の形態において、溝壁１４３０の一部は、差込口空間１４２５を介して、ヘッドセットコードを押し込めるように柔軟（flexible）であり、ヘッドセットコードは、溝壁１４３０をその進行方向に対して外側に広げて、差込口空間１４２５の直径を一時的に拡大し、差込口空間１４２５を通過して溝１４２０内に達することができる。いくつかの実施の形態において、溝壁１４３０はかなり硬く（substantially rigid）、それによって、ヘッドセットコードが溝壁１４３０の両端部間の差込口空間１４２５を通過するときに、そのスリーブ（outer sleeve）は収縮（constrict）される。
【００６１】
図１５Ａ−図１５Ｉは、更なる実施の形態となるヘッドセットコードホルダ１５００を示す。
【００６２】
図１５Ａ及び図１５Ｂに示すように、いくつかの実施の形態において、ヘッドセットコードホルダ１５００は、モールド成形された溝１５２０が設けられた本体１５１０を備えている。本体１５１０は、度付き眼鏡又はサングラスの飾り紐に設けられる。いくつかの実施の形態において、飾り紐１５７０は、本体１５１０内の開口部１５８０に挿通される。しかし、当該技術分野において知られているように、本体１５１０は、クリップや他の機構によって、飾り紐に取り付けることができる。図１５に示すように、飾り紐の両側には、ヘッドセットコードホルダ１５００が設けられている。しかし、いくつかの実施の形態において、ヘッドセットコードホルダ１５００は、飾り紐１５７０の一端に取り付けるだけである。いくつかの実施の形態において、ヘッドセットコードホルダの本体１５１０は、一つ以上のプラスチック、硬質プラスチック、発泡体、ゴムで成形されている。いくつかの実施の形態において、ヘッドセットコードホルダの本体１５１０は、一つ以上の木材、ガラス及び金属で形成されている。
【００６３】
図１５Ｃ−図１５Ｅに示すように、いくつかの実施の形態において、本体１５１０’及び１５１０”は、眼鏡フレーム１５０１に取り外し可能に取り付けられる。いくつかの実施の形態において、本体１５１０’及び１５１０”内の開口部１５８０は、眼鏡フレーム１５０１の耳つる１５０３をスライドする。したがって、ユーザは、本体１５１０’及び１５１０”を所望の位置が見つかるまで耳つる１５０３をスライドすることができる。当該技術分野の当業者において知られているように、本体１５１０’及び１５１０”は、任意の機構によって眼鏡フレーム１５０１に取り付けることができる。例えば、いくつかの実施の形態において、本体１５１０’及び１５１０”は、１種類以上のフックとループを備えたファスナ装置やクリップによって眼鏡フレーム１５０１に取り付けることができる。眼鏡フレーム１５０１は、度付き眼鏡又はサングラス又は２つを組み合わせた眼鏡に適用することができる。いくつかの実施の形態において、ヘッドセットコードホルダの本体１５１０’及び１５１０”は、一つ以上のプラスチック、硬質プラスチック、発泡体、ゴムで成形されている。いくつかの実施の形態において、ヘッドセットコードホルダの本体１５１０’及び１５１０”は、一つ以上の木材、ガラス及び金属で形成されている。
【００６４】
図１５Ｄに示すように、いくつかの実施の形態において、溝１５２０は、本体１５１０’に沿って縦方向に揃って設けられている。あるいは、図１５Ｅに示すように、いくつかの実施の形態において、溝１５２０は、本体１５１０”に沿って横方向に揃って設けられている。いくつかの実施の形態において、本体１５１０’及び１５１０”は、１つ以上の更なる溝１５２１を有する。
【００６５】
図１５Ｆ−図１５Ｉは、本体と、ヘッドセットコードを直接受け入れ取り外し可能に固定する本体に一体的にモールド成形された第１の溝とを備えるヘッドセットコードホルダを示す。いくつかの実施の形態において、溝１５２０は、眼鏡フレーム１５０１に設けられている。
【００６６】
図１５Ｆ及び図１５Ｇに示すように、いくつかの実施の形態において、溝１５２０は、眼鏡フレーム１５０１の耳つる１５０３の上部に設けられる。あるいは、いくつかの実施の形態において、図１５Ｈ及び１５Ｉに示すように、溝１５２０は、眼鏡フレーム１５０１の耳つる１５０３の側に設けられる。いくつかの実施の形態において、溝１５２０は、耳つる１５０３に沿って縦方向に揃って設けられている。あるいは、いくつかの実施の形態において、溝１５２０は、耳つる１５０３に沿って横方向に揃って設けられている。特に、溝１５２０は、耳つる１５０３に沿って任意の位置に設けることができる。いくつかの実施の形態において、眼鏡フレーム１５０１は、１つ以上の更なる溝１５２１を有する。
【００６７】
図１５Ａ−図１５Ｉに示すように、溝１５２０は、ヘッドセットコードを溝１５２０に入れる（access）ことができる差込口空間１５２５だけを残して、溝１５２０の大部分を囲む溝壁１５３０によって画定される。いくつかの実施の形態において、差込口空間１５２５は、溝１５２０及びヘッドセットコードよりも小さな直径を有し、それによって、溝壁１５３０の範囲（confines）内でヘッドセットコードを固定し、それを取り外すためには、かなり大きな力を必要とする。いくつかの実施の形態において、溝壁１５３０の一部は、差込口空間１５２５を介して、ヘッドセットコードを押し込めるように柔軟（flexible）であり、ヘッドセットコードは、溝壁１５３０をその進行方向に対して外側に広げて、差込口空間１５２５の直径を一時的に拡大し、差込口空間１５２５を通過して溝１５２０内に達することができる。いくつかの実施の形態において、溝壁１５３０は、かなり硬く（substantially rigid）、それによって、ヘッドセットコードが溝壁１５３０の両端部間の差込口空間１５２５を通過するときに、そのスリーブ（outer sleeve）は収縮（constrict）される。
【００６８】
図１６Ａ及び図１６Ｂは、ヘッドセットコードホルダ１６００の更なる実施の形態を示す。図１６Ａ及び図１６Ｂに示すように、ヘッドセットコードホルダ１６００は、スポーツヘルメットに設けられた取り外し可能なクリップ又はサイド結束バックル（side squeeze buckle）の前面にモールド成形された溝を有する本体を備えている。
【００６９】
取り外し可能なクリップは、バックルの帯紐又はウェッビング（buckle strap or webbing）１６４０に連結された雌型バックル端部１６１５と、バックルの帯紐又はウェッビング１６４５に連結された雄型バックル端部１６３５とを備える。雌型バックル端部１６１５は、雄型バックル端部１６３５を受け入れて、脱着可能に保持する。いくつかの実施の形態において、雌型バックル端部１６１５と雄型バックル端部１６３５の何れかは、溝本体を備える。いくつかの実施の形態において、溝本体は、雌型バックル端部１６１５と雄型バックル端部１６３５の何れかから突出した突出部１６１０である。いくつかの実施の形態において、溝本体は、バックル端部の残りの部分から突出しておらず、むしろバックル端部の残りの部分と同じ高さである。さらに、いくつかの実施の形態において、突出部を含む溝本体１６１０は、バックル端部に一体形成（integrally formed）され、一方、更なるいくつかの実施の形態において、溝本体は、バックル端部に取り付けられる別部材（separate component）である。いくつかの実施の形態において、溝本体は、第１の帯紐及び第１の帯紐に連結されたあらゆる洋品を、第２の帯紐及び第２の帯紐に連結されたあらゆる洋品に脱着可能に連結することができる開閉機構として機能する。例えば、いくつかの実施の形態において、溝本体は、帯紐１６４５を介してスポーツヘルメットの第１の部分に連結された雌型バックル端部１６１５の一部である。雌型バックル端部１６１５は、雄型バックル端部１６３５に嵌合する。雄型バックル端部１６３５は、帯紐又はウェッビング３４５によってスポーツヘルメットの第２の部分に連結されている。
【００７０】
着脱可能なクリップ１６１５、１６３５の各先端は、スポーツヘルメットに帯紐又はウェッビング１６４５、１６４０によって接続される。図１６Ｂで示すように、着脱可能なクリップは、自転車ヘルメット１６６０に接続される。しかし、当該技術分野で知られているように、着脱可能なクリップは、その他のスポーツヘルメットに接続することができる。例えば、いくつかの実施の形態において、着脱可能なクリップは、１つ以上のスキーヘルメット、自転車ヘルメット、オートバイヘルメット又は他のスポーツヘルメットに接続することができる。
【００７１】
溝１６２０は、モールド成形されるか、又は溝本体に組み入れられる。溝１６２０は、ヘッドセットコードを受け入れ取り外し可能に固定する。いくつかの実施の形態において、溝１６２０は、ヘッドセットコードを溝１６２０に入れることを可能にする差込口空間１６２５だけを残して、溝１６２０の大部分を囲む溝壁１６３０によって画定される。いくつかの実施の形態において、差込口空間１６２５は、溝１６２０及びヘッドセットコードよりも小さな直径を有し、それによって、溝壁１６３０の範囲内でヘッドセットコードを固定し、それを取り外すためには、かなり大きな力を必要とする。いくつかの実施の形態において、溝壁１６３０の一部は、差込口空間１６２５を介して、ヘッドセットコードを押し込めるように柔軟であり、ヘッドセットコードは、溝壁１６３０をその進行方向に対して外側に広げて、一時的に差込口空間１６２５の直径を拡大し、差込口空間１６２５を通過して溝１６２０内に達することができる。いくつかの実施の形態において、溝壁１６３０はかなり硬く、それによって、ヘッドセットコードが溝壁１６３０の両端部間の差込口空間１６２５を通過するときに、そのスリーブは収縮される。
【００７２】
図１６Ａに示すように、ヘッドセットコード１６６５は、溝１６２０に取り外し可能に保持される。溝１６２０は、その用途に応じて、様々な方向にモールド成形することができる。いくつかの実施の形態において、溝１６２０は、クリップ端部又は他の支持部材に対して回転するように構成された溝本体に設けられており、それによって、溝１６２０は、所望の位置に回転することができる。
【００７３】
図１７Ａ及び図１７Ｂは、ヘッドセットコードホルダ１７００のいくつかの実施の形態を示す。ヘッドセットコードホルダ１７００は、ジュエリー１７７０の一部の本体にモールド成形された溝を有する本体を備えている。
【００７４】
いくつかの実施の形態において、ジュエリーの一部は、少なくとも更なる物品に取り付けられる。例えば、図１７Ａ及び図１７Ｂに示すように、本体は、ネックレス１７７０を構成する一連のビーズの中のジュエリーのビーズに接続する。いくつかの実施の形態において、ジュエリーのピースは、１つ以上のブローチ、イヤリング、ブレスレット又はサングラスの飾り紐に設けられる。しかし、当該技術分野で知られているように、本体は、ジュエリーのいくつかのピースに設けられている。また、いくつかの実施の形態において、更なる溝をジュエリーのピースの本体や他の部分にモールド成形することができる。
【００７５】
溝１７２０は、モールド成形、すなわち設けられている。溝１７２０は、ヘッドセットコードを受け入れ取り外し可能に固定する。いくつかの実施の形態において、溝１７２０は、ヘッドセットコードを溝１７２０に入れることを可能にする差込口空間１７２５だけを残して、溝１７２０の大部分を囲む溝壁１７３０によって画定される。いくつかの実施の形態において、差込口空間１７２５は、溝１７２０及びヘッドセットコードよりも小さな直径を有し、それによって、溝壁１７３０の範囲内でヘッドセットコードを固定し、それを取り外すためには、かなり大きな力を必要とする。いくつかの実施の形態において、溝壁１７３０の一部は、差込口空間１７２５を介して、ヘッドセットコードを押し込めるように柔軟であり、ヘッドセットコードは、溝壁１７３０をその進行方向に対して外側に広げて、一時的に差込口空間１７２５の直径を拡大し、差込口空間１７２５を通過して溝１７２０内に達することができる。いくつかの実施の形態において、溝壁１７３０はかなり硬く、それによって、ヘッドセットコードが溝壁１７３０の両端部間の差込口空間１７２５を通過するときに、そのスリーブは収縮される。
【００７６】
図１８は、ヘッドセットコードホルダ１８００のいくつかの実施の形態を示す。ヘッドセットコードホルダ１８００は、一部に識別可能な表面１８６０を有する本体１８１０にモールド成形されるか組み込まれた溝１８１０を有する本体１８１０を有する。本体１８１０は、少なくとも更なる物品に接続するように構成される。いくつかの実施の形態において、１種類以上のゴム、プラスチック、金属で形成されている。特に、本体１８１０は、一つ以上の縫い付け、リベット接合、熱圧着、粘性物質、化学的方法によって更なる物品を接続するように構成される。いくつかの実施の形態において、本体１８１０は、更なる物品に取り付けるためのる更なる表面１８１５を有する。
【００７７】
溝１８２０は、本体にモールド成形、すなわち設けられている。溝１８２０は、ヘッドセットコードを受け入れ、取り外し可能に固定する。いくつかの実施の形態において、溝１８２０は、ヘッドセットコードを溝１８２０に入れることを可能にする差込口空間１８２５だけを残して、溝１８２０の大部分を囲む溝壁１８３０によって画定される。いくつかの実施の形態において、差込口空間１８２５は、溝１８２０及びヘッドセットコードよりも小さな直径を有し、それによって、溝壁１８３０の範囲内でヘッドセットコードを固定し、それを取り外すためには、かなり大きな力を必要とする。いくつかの実施の形態において、溝壁１８３０の一部は、差込口空間１８２５を介して、ヘッドセットコードを押し込めるように柔軟であり、ヘッドセットコードは、溝壁１８３０をその進行方向に対して外側に広げて、一時的に差込口空間１８２５の直径を拡大し、差込口空間１８２５を通過して溝１８２０内に達することができる。いくつかの実施の形態において、溝壁１８３０はかなり硬く、それによって、ヘッドセットコードが溝壁１８３０の両端部間の差込口空間１８２５を通過するときに、そのスリーブは収縮される。
【００７８】
図１９Ａ−図１９Ｅは、ヘッドセットコードホルダ１９００のいくつかの実施の形態を示す。図１９Ａは、横断面図を示し、図１９Ｂは、拡大正面図を示し、図１９Ｃは、拡大正面図を示し、図１９Ｄは、ファスナが閉まっていない状態の斜視図を示し、図１９Ｅは、ファスナが閉まった状態の斜視図を示す。ヘッドセットコードホルダ１９００は、ファスナである本体にモールド成形、すなわち設けられた溝１９１０を有する。あるいは、本体は、固定体である他のタイプの任意の噛み合っている留め金具とすることができる。いくつかの実施の形態において、本体は金属である。あるいは、当該技術分野で知られているように、本体は、金属又はプラスチックを含む物質の任意の数の組み合わせで形成される。ファスナ１９１０は、複数のファスナ歯１９１５、ファスナテープ１９２０及びファスナヘッド（図示せず）を有している。いくつかの実施の形態において、ファスナヘッドは、図１４Ａ及び図１４Ｂで示す実施の形態と、実質的に類似している。あるいは、ファスナヘッドは有していなくても良い。当該技術分野において知られているように、ファスナは、ファスナテープ１９２０を介して衣類及び他の洋品に接続される。あるいは、ファスナは、当該技術分野で知られた他のファスナの取付手段を介して衣類及び他の洋品に接続される。
【００７９】
溝１９１０は、ファスナ本体の歯１９１５にモールド成形、すなわち設けられている。具体的に、各ファスナ歯１９１５は、ファスナ歯１９１５の噛み合い部分が溝１９１０を有するように構成される。結果として、溝１９１０は、ファスナが上げられて閉められたときに完全に形成される。すなわち、図１９Ｃ及び図１９Ｅに示すように、互いに歯が噛み合ったラインの溝１９１０の一部は、完全な溝１９１０を形成する。しかし、仮に、ファスナが完全に閉じられていなくても、また、開けられていたとしても、溝１９１０は、少なくとも溝１９１０の一部が図１９Ｄに示すように、ヘッドセットコード１９０５を受け入れることができるので、まだ使用することができる。図１９Ｄにおいて、ファスナ歯１９１５の半分は、ファスナの両側に並んでおらず、２つの平行な溝１９１０を作り出しており、開いた状態のファスナは、ヘッドセットコード１９０５受け入れることができる。いくつかの実施の形態において、ファスナの全ての歯１９１５は、溝１９１０の一部を構成する。あるいは、ファスナ歯１９１５の一部だけが、溝１９１０の一部を構成する。いくつかの実施の形態において、ファスナ歯１９１５の第１の部分は、第１の直径の溝１９１０を有し、１つ以上の第１ファスナ歯１９１５の第２の部分は、異なる直径の溝１９１０を有している。例えば、ファスナ及びそのファスナ歯１９１５の長さは、複数の小区分に分けることができ、各小区分が異なる直径の溝１９１０ファスナ歯１９１５を有している。結果として、ファスナの異なる部分は、サイズの異なる溝１９１０に異なる直径のヘッドセットコード１９０５を取り付けることに用いることができる。更に、いくつかの実施の形態において、各ファスナ歯１９１５は、同じ直径又は異なる直径の１つ以上の溝１９１０を有する。
【００８０】
溝１９１０は、ヘッドセットコード１９０５を受け入れ取り外し可能に固定する。いくつかの実施の形態において、図１９Ａに示すように、溝１９１０は、ヘッドセットコードを溝１９１０に入れることを可能にする差込口空間１９３０だけを残して、溝１９１０の大部分を囲む溝壁１９２５によって画定される。いくつかの実施の形態において、差込口空間１９３０は、溝１９１０及びヘッドセットコードよりも小さな直径を有し、それによって、溝壁１９２５の範囲内でヘッドセットコードを固定し、それを溝１９１０から取り外すためには、かなり大きな力を必要とする。いくつかの実施の形態において、溝壁１９２５の一部は、差込口空間１９３０を介して、ヘッドセットコードを押し込めるように柔軟であり、ヘッドセットコードは、溝壁１９２５をその進行方向に対して外側に広げて、一時的に差込口空間１９３０の直径を拡大し、差込口空間１９３０を通過して溝１９１０内に達することができる。あるいは、溝壁１７３０は、かなり硬く、それによって、ヘッドセットコードが溝壁１７３０の両端部間の差込口空間１９３０を通過するときに、そのスリーブは収縮される。
【００８１】
図２０Ａ及び２０Ｂは、ヘッドセットコードを保持するためのシステムのいくつかの実施の形態を示す。図２０Ａは、互いに取り外し可能に取り付けられる雄サイド２００５と雌サイド２００３とを示す。図２０Ｂは、雄サイド２００５の表面に取り外し可能に取り付けられるカバー２００９を有する雄サイド２００５のいくつかの実施の形態を示す分解組立図である。
【００８２】
ヘッドセットコードを保持するシステムは、それぞれが取り外し可能に取り付けられる雄サイド２００５と雌サイド２００３とを備える。いくつかの実施の形態において、雄サイド２００５は、雌サイド２００３の開口部に確実に固定するためのスタッド２０１１を有する。開口部の周囲は、雌サイド２００３のソケットリップ（socket lip）２０１３及びベース（base）２０１５の内側の円周によって画定される。いくつかの実施の形態において、ソケットリップ２０１３は、開口部に向けてベース２０１５よりも広げられており、スタッド２０１１の端部は、スタッド２０１１のベースよりも大きな直径を有する。この構成の場合、スタッド２０１１の端部は、開口部に挿入されたときに、ぱちっといってきちんと締まり（snaps into place）、ソケットリップ２０１３から偶発的に離脱することが防止される。
【００８３】
図２０Ａは、成形された雌サイド２００３のいくつかの実施の形態を示す。いくつかの実施の形態において、雌サイド２００３は、スナップファスナで成形される。この構成において、バックやボタンやスナップファスナは、ジャケットやシャツのような洋品によって構成される。いくつかの実施の形態において、雌サイド２００３は、上述のように更なる物品（図示せず）に取り付けられる。例えば、いくつかの実施の形態において、雌サイドは、例えばネックレス、ブローチ、イヤリングのペア、ブレスレット及び飾り紐といったアクセサリ洋品に取り付けられる。
【００８４】
図２０Ａに示すように、雄サイド２００５は、ヘッドセットコードを受け入れ取り外し可能に固定する第１の溝２０２０を有する。いくつかの実施の形態において、第１の溝２０２０は、雌サイド２００３の本体に設けられる。いくつかの実施の形態において、このシステムは、ヘッドセットコードを受け入れしっかり固定するために、１つ以上の更なる溝２０２１を有する。いくつかの実施の形態において、溝２０２１は、ヘッドセットコードを溝２０２０に入れることを可能にする差込口空間２０２５だけを残して、溝２０２０の大部分を囲む溝壁２０３０によって画定される。いくつかの実施の形態において、差込口空間２０２５は、溝２０２０及びヘッドセットコードよりも小さな直径を有し、それによって、溝壁２０３０の範囲内でヘッドセットコードを固定し、それを溝２０２０から取り外すためには、かなり大きな力を必要とする。いくつかの実施の形態において、溝壁２０３０の一部は、差込口空間２０２５を介して、ヘッドセットコードを押し込めるように柔軟であり、ヘッドセットコードは、溝壁２０３０をその進行方向に対して外側に広げて、一時的に差込口空間２０２５の直径を拡大し、差込口空間２０２５を通過して溝２０２０内に達することができる。いくつかの実施の形態において、溝壁２０３０は、かなり硬く、それによって、ヘッドセットコードが溝壁２０３０の両端部間の差込口空間２０２５を通過するときに、そのスリーブは収縮される。
【００８５】
更なる実施の形態において、溝２０２０及び溝壁２０３０は、雄サイド２００５の本体から取り外される部材から形成される。これらの実施の形態において、雄サイド２００５の部材は、溝を製造するために置き換えられる（displaced）。結果として、更なる部材は、溝２０２０又は溝壁２０３０を設けるために雄サイド２００５に追加されない。したがって、溝２０２０及び溝壁２０３０を有する雄サイド２００５を形成するのに用いる部材の量目は、溝や溝壁（図示せず）を有しない雄サイド２００５を形成するのに用いる量目と同じとなる。上述したように、この構成の溝２０２０は、雌サイド２００３又は雄サイド２００５に設けることができる。
【００８６】
図２０Ｂは、いくつかの実施の形態となるヘッドセットコードを保持するシステムの雄サイド２００５の分解組立図である。図２０Ｂに示すように、いくつかの実施の形態において、雄サイド２００５は、第１の溝２０２０に置かれるとき、ヘッドセットコードをカバーするために雄サイド２００５の表面に取り外し可能に接続させる着脱可能なカバー２００９が設けられる。いくつかの実施の形態において、カバー２００９は、ヘッドセットコードを確りと固定する溝２０２０’及び溝壁２０３０’を有する。これらの実施の形態において、ユーザは、第１の溝２０２０にヘッドセットコードホルダを固定した後、雄サイド２００５にカバー２００９を取り外し可能に取り付けることができる。雄サイド２００５は、溝にヘッドセットコードをしっかりと又は緩やかに保持するように構成されている。図２０Ｂに示すように、カバーは、雄サイド２００５の表面の１つ以上の開口部２０６０に挿入される１つ以上のスタッド２０７０を有する。しかし、当該技術分野で知られているように、カバー２００９は、任意の方法によって雄サイド２００５の表面に取り外し可能に取り付けることができる。例えば、いくつかの実施の形態において、カバー２００９は、磁気的手段を介して雄サイド２００５の表面に取り外し可能に取り付けることができる。いくつかの実施の形態において、カバー２００９は、フックとループを備えたファスナ装置を介して雄サイド２００５の表面に取り外し可能に取り付けることができる。
【００８７】
ヘッドセットコード（図示せず）が第１の溝２０２０に固定され、カバー２００９が雄サイド２００５の表面に取り付けられると、雄サイド２００５は、雌サイド２００３に取り外し可能に取り付けることができる。いくつかの実施の形態において、ユーザは、雌サイド２００３から雄サイド２００５を取り外して、雄サイドを、第２の雌サイド（図示せず）に取り付けることができる。例えば、雌サイドが開閉機構に形成され、第２の雌サイドがアクセサリ洋品に設けられている場合、ユーザは、開閉機構に形成された雌サイドから雄サイド２００５を取り外して、取り外し可能に雄サイド２００５をアクセサリ洋品に設けられた第２の雌サイドに取り付けることができる。したがって、ユーザは、アクセサリや衣料品の様々なところを移動させて、雄サイドを異なる雌サイドに取り付けることができる。
【００８８】
図２１は、ファスナ引具の本体２１１０に形成されたヘッドセットコードを保持するシステムの雌サイドのいくつかの実施の形態を示す。
【００８９】
本体２１１０は、ファスナヘッド（図示せず）に接続するように構成される。本体は、本体２１１０に接続する引具２１４０を有する。図２１に示すように、いくつかの実施の形態において、引具２１４０は、本体２１１０の中心を通過するコードである。いくつかの実施の形態において、引具２１４０は、本体２１１０をファスナヘッドに接続するコードである。いくつかの実施の形態において、本体２１１０は、一つ以上の木材、ガラス及び金属で形成されている。本体２１１０は、開口部を有している。開口部の周囲は、雌サイド２００３のソケットリップ（socket lip）２１１３及びベース（base）２１１５の内側の円周によって画定される。このような構成において、雄サイド（図示せず）は、開口部に挿入されたときに、ぱちっといってきちんと締まり（snaps into place）、ソケットリップ２１１３から偶発的に離脱することが防止される。
【００９０】
図２２は、ファスナ引具の本体２２１０に形成されたヘッドセットコードを保持するシステムの更なる雌サイドのいくつかの実施の形態を示す。
【００９１】
ファスナ引具２２５０は、ジャケット、シャツのようなバッグ又は衣類の洋品に設けられる。いくつかの実施の形態において、バックや洋品の第１の部分を、バッグ又は衣料品の第２の部分に取り外し可能に取り付けることのできる開閉機構として機能させることができる。例えば、いくつかの実施の形態において、本体２２１０は、第１の部分のファスナトラックと第２の部分のファスナトラックを受け止めて、開閉自在に閉めるために、側面２２５５の反対側に形成されたチャネル（channel、図示せず）を有する。いくつかの実施の形態において、引具２２４０は、それが取り付けられるバック又は衣服の洋品の一部に反って本体２２１０が移動するのを容易にするため本体２２１０に取り付けられている。以上のように、本体２２１０は、開口部を有する。開口部の周囲は、ソケットリップ（socket lip）２２１３及びベース（base）２２１５の内側の円周によって画定される。このような構成において、雄サイド（図示せず）は、開口部に挿入されたときに、ぱちっといってきちんと締まり（snaps into place）、ソケットリップ２２１３から偶発的に離脱することが防止される。
【００９２】
図２３は、バッグ及びパックに用いられるサイド結束バックル（side squeeze buckle）の前面にモールド成形された雌サイドを有するヘッドセットコードを保持するシステムの更なる雌サイドのいくつかの実施の形態を示す。雌サイドが、サイド結束バックルの表面にモールド成形された状態を示しているが、雌サイドは、サイド結束バックルに取り外し可能に設けるようにすることもできる。
【００９３】
サイド結束バックルは、バックルの帯紐又はウェッビング（buckle strap or webbing）２３４５に連結された雌型バックル端部２３５５とバックルの帯紐又はウェッビングに連結された雄型バックル端２３６５とを備える。雌型バックル端部２３５５は、雄型バックル端部２３６５を受け入れて、脱着可能に保持する。いくつかの実施の形態において、雌型バックル端部２３５５と雄型バックル端部２３６５のどちらかが、ヘッドセットコードを保持するシステムの雌サイド２３０３を有する。いくつかの実施の形態において、雌サイド２３０３は、開口部を有する。開口部の周囲は、雌サイド２３０３のソケットリップ（socket lip）２３１３及びベース（base）２３１５の内側の円周によって画定される。雄サイド（図示せず）は、開口部に挿入されたときに、ぱちっといってきちんと締まり（snaps into place）、ソケットリップ２３１３から偶発的に離脱することが防止される。
【００９４】
図２４Ａ及び図２４Ｂは、ヘッドセットコードを保持するシステムの更なる雌サイドのいくつかの実施の形態を示す。図２４Ａは、互いに取り外し可能に取り付けられる付属品２４０５と受容本体２４０３とを備える。図２４Ｂは、付属品２４０５の表面に取り外し可能に取り付けられるカバー２４０９を有する付属品２４０５の分解組立図である。図２４Ｃは、受容本体２４０３と付属品２４０５の結合機構の拡大図である。
【００９５】
ヘッドセットコード２４０５を保持するシステムは、互いに取り外し可能に取り付けられる付属品２４０５と受容本体２４０３を有する。いくつかの実施の形態において、付属品２４０５は、受容本体２４０３の溝２４５０の中で確実に嵌合するように構成される湾曲ラッチ２４１７を有する。溝２４５０の周辺部は、上側リップ２４２９及び下側リップ２４２３によって画定される。いくつかの実施の形態において、上側リップ２４２９及び下側リップ２４２３は、溝２４５０から外側へ拡張される。この構成の場合、付属品２４０５が受容本体２４０３に取り外し可能に取り付けられるとき、湾曲ラッチ２４１７は、上側リップ２４２９の上で押されて、それが上側リップ２４２９及び下側リップ２４２３にしっかり固定され、溝２４５０の中にぱちっと取り付けられる。
【００９６】
図２４Ｃに示すように、付属品２４０５が受容本体２４０３に取り外し可能に取り付けられるとき、湾曲ラッチ２４１７は、上側リップ２４２９と下側リップ２４２３の間で溝２４５０に確実に収容される。
【００９７】
図２４Ａは、ボタンに一体的に形成された受容本体２４０３のいくつかの実施の形態を示す。いくつかの実施の形態において、受容本体２４０３は、スナップファスナの中に完全に形成される。ボタン又はスナップファスナは、例えばジャケット又はシャツといったバッグ又は衣類の洋品に取り付けるように構成される。いくつかの実施の形態において、受容本体２４０３は、上述のように、更なる物品（図示せず）に取り付けられる。例えば、いくつかの実施の形態において、受容本体２４０３は、例えばネックレス、ブローチ、イヤリングのペア、ブレスレット及び飾り紐といったアクセサリ洋品に取り付けられる。
【００９８】
図２４Ａで示すように、付属品２４０５は、ヘッドセットコードを受け入れ取り外し可能に固定する第１の溝２４２０を有する。いくつかの実施の形態において、第１の溝２４２０は、受容本体２４０３に組み入れられる。いくつかの実施の形態において、このシステムは、ヘッドセットコードを受け入れ取り外し可能に固定する１つ以上の更なる溝２４２１を有する。いくつかの実施の形態において、溝２４２０は、ヘッドセットコードを溝２４２０に入れることを可能にする差込口空間２４２５だけを残して、溝２４２０の大部分を囲む溝壁２４３０によって画定される。いくつかの実施の形態において、差込口空間２４２５は、溝２４２０及びヘッドセットコードよりも小さな直径を有し、それによって、溝壁２４３０の範囲内でヘッドセットコードを固定し、それを取り外すためには、かなり大きな力を必要とする。いくつかの実施の形態において、溝壁２４３０の一部は、差込口空間２４２５を介して、ヘッドセットコードを押し込めるように柔軟であり、ヘッドセットコードは、溝壁２４３０をその進行方向に対して外側に広げて、一時的に差込口空間２４２５の直径を拡大し、差込口空間２４２５を通過して溝２４２０内に達することができる。いくつかの実施の形態において、溝壁２４３０はかなり硬く、それによって、ヘッドセットコードが溝壁２４３０の両端部間の差込口空間２４２５を通過するときに、そのスリーブは収縮される。
【００９９】
更なる実施の形態において、溝２４２０及び溝壁２４３０は、付属品２４０５の本体から取り外される部材から形成される。これらの実施の形態において、付属品２４０５の部材は、溝を製造するために置き換えられる。結果として、更なる部材は、溝２４２０又は溝壁２４３０を設けるために付属品２４０５に追加されない。したがって、溝２４２０及び溝壁２４３０を有する付属品２４０５を形成するのに用いる部材の量目は、溝や溝壁（図示せず）を有しない付属品２４０５を形成するのに用いる量目と同じとなる。上述したように、溝２４２０は、受容本体２４０３又は付属品２４０５に設けることができる。
【０１００】
図２４Ｂは、ヘッドセットコード２４００を保持するシステムの付属品２４０５のいくつかの実施の形態を示す。図２４Ｂに示すように、いくつかの実施の形態において、付属品２４０５は、第１の溝２４２０に固定されるとき、ヘッドセットコードをカバーするために付属品２４０５の表面に取り外し可能に取り付けられる取り外し可能なカバー２４０９を有する。いくつかの実施の形態において、カバー２４０９は、ヘッドセットコードを取り外し可能に固定する溝２４２０’と溝壁２４３０’を有する。これらの実施の形態において、ユーザは、第１の溝２４２０内にヘッドセットコードを固定した後に、付属品２４０５に取り外し可能にカバー２４０９を取り付ける。付属品２４０５は、溝にヘッドセットコードをしっかりと又は緩やかに保持するように構成されている。図２４Ｂに示すように、カバーは、付属品２４０５の表面に１つ以上の開口部２４６０に挿入される１つ以上のスタッド２４７０を有する。しかし、当該技術分野で知られているように、カバー２４０９は、任意の方法によって付属品２４０５の表面に取り外し可能に取り付けることができる。例えば、いくつかの実施の形態において、カバー２４０９は、磁気的手段を介して付属品２４０５の表面に取り外し可能に取り付けることができる。いくつかの実施の形態において、カバー２４０９は、フックとループを備えたファスナ装置を介して付属品２４０５の表面に取り外し可能に取り付けることができる。
【０１０１】
ヘッドセットコード（図示せず）が第１の溝２４２０に固定され、カバー２４０９が付属品２４０５の表面に取り付けられると、付属品２４０５は、受容本体２４０３に取り外し可能に取り付けることができる。いくつかの実施の形態において、ユーザは、受容本体２４０３から付属品２４０５を取り外して、付属品を、第２の受容本体（図示せず）に取り付けることができる。例えば、受容本体が開閉機構に形成され、第２の受容本体がアクセサリ洋品に設けられている場合、ユーザは、開閉機構に形成された受容本体から付属品２４０５を取り外して、取り外し可能に付属品２４０５をアクセサリ洋品に設けられた第２の受容本体に取り付けることができる。したがって、ユーザは、アクセサリや衣料品の様々なところを移動させて、雄サイドを異なる雌サイドに取り付けることができる。
【０１０２】
図２５Ａ及び図２５Ｂは、ファスナ引具の本体２５１０に一体的に形成されたヘッドセットコードを保持するシステムの受容本体のいくつかの実施の形態を示す。
【０１０３】
本体２５１０は、ファスナヘッド（図示せず）に設けるように構成される。本体は、本体２５１０に接続される引具２５４０を有する。図２５に示すように、いくつかの実施の形態において、引具２５４０は、本体２５１０の中心を通るコードである。いくつかの実施の形態において、引具２５４０は、本体２５１０をファスナヘッドに接続するコードである。いくつかの実施の形態において、本体２５１０は、一つ以上の木材、ガラス及び金属で形成されている。本体２５１０は、溝２５５０を有している。溝２５５０の周辺部は、上側リップ２５２９及び下側リップ２５２３によって画定される。いくつかの実施の形態において、上側リップ２５２９及び下側リップ２５２３は、溝２５５０から外側へ拡張される。この構成の場合、湾曲ラッチ２５１７は、上側リップ２５２９の上で押されて、溝２５５０の中にぱちっと取り付けられ、それが上側リップ２５２９及び下側リップ２５２３にしっかり固定される。
【０１０４】
図２５Ｂで示すように、付属品２５０５が受容本体２５１０に取り外し可能に取り付けられるとき、湾曲ラッチ２５１７は、上側リップ２５２９と下側リップ２５２３の間で溝２５５０に確実に収容される。
【０１０５】
図２６Ａ及び図２６Ｂは、バッグ及びパックに用いられるサイド結束バックル（side squeeze buckle）の前面にモールド成形されたヘッドセットコードを保持するシステムの受容本体のいくつかの実施の形態を示す。図２６Ａ及び２６Ｂは、ヘッドセットコードを保持するシステムの平面図及びシステムの側面図である。
【０１０６】
サイド結束バックルは、バックルの帯紐又はウェッビング（buckle strap or webbing）２６５５に連結された雌型バックル端部２６５５とバックルの帯紐又はウェッビングに連結された雄型バックル端２６６５とを備える。雌型バックル端部２６５５は、雄型バックル端部２６６５を受け入れて、脱着可能に保持する。いくつかの実施の形態において、雌型バックル端部２６５５と雄型バックル端部２６６５のどちらかが、ヘッドセットコードを保持する受容本体（図２６Ｂ）２６０３を有する。結束バックルは、溝２６５０を有する。上述したように、溝２６５０の周辺部は、上側リップ２６２９及び下側リップ２６２３によって画定される。いくつかの実施の形態において、上側リップ２６２９及び下側リップ２６２３は、溝２５５０から外側へ拡張される。この構成の場合、湾曲ラッチ２６１７は、上側リップ２６２９の上で押されて、溝２６５０の中にぱちっと取り付けられ、それが上側リップ２６２９及び下側リップ２６２３にしっかり固定される。
【０１０７】
図２６Ｃで示すように、付属品２６０５が受容本体２６０３に取り外し可能に取り付けられるとき、湾曲ラッチ２６１７は、上側リップ２４２９と下側リップ２６２３の間で溝２６５０の中で確実に収容される。
【０１０８】
図２７は、ヘッドセットコードを固定する方法のいくつかの実施の形態を示す。図２７で示すように、ステップ２７０２では、ヘッドセットコードが溝の中に固定される。上述のように、溝は、ヘッドセットコードを受け入れて、取り外し可能にしっかり固定する。いくつかの実施の形態において、溝は、ヘッドセットコードホルダの雄サイドに設けられる。そして、ステップ２７０４において、雄サイドは、ヘッドセットコードホルダの雌サイドに取り外し可能に取り付けられる。いくつかの実施の形態において、カバーは、雄サイドに更に取り付けられる。いくつかの実施の形態において、雄サイドは、雌サイドから分離されて、第２の雌サイドに取り付けることができる。いくつかの実施の形態において、雌サイドは、少なくとも更なる物品に取り付けることができる。いくつかの実施の形態に、更なる物品は、物品の第１の部分を物品の第２の部分に取り外し可能に接続する開閉機構である。これらの実施の形態において、開閉機構は、１種類以上のスナップ、ボタン、取り外し可能なクリップ、ファスナ、フックとループを備えたファスナ装置である。更なる実施の形態において、更なる物品は、ネックレス、ブローチ、イヤリングのペア、ブレスレット及びサングラス飾り紐の一つ以上のアクセサリ洋品である。いくつかの実施の形態において、この方法は、雄サイドにカバーを取り外し可能に取り付けるステップを更に有する。
【０１０９】
図２８は、ヘッドセットコードを保持するシステムのいくつかの実施の形態を示す。図２８は、ユーザのシャツのシャツスナップファスナとして用いたシステムを示す。図示の通り、コード２８６５は、溝２８２０によって受け入れられ、取り外し可能に固定される。溝２８２０は、溝壁２８３０及び差込口空間２８２５によって画定される。着脱可能なカバー２８０９は、溝２８２０内でヘッドセットコードが更に固定され、取り外し可能に雄サイド２８０５の表面に取り外し可能に取り付けられる。カバーは、１つ以上の開口部２８６０に挿入される１つ以上のスタッド２８７０を有する。
【０１１０】
図２９Ａ及び図２９Ｂは、ヘッドセットコードホルダ２９００の更なる実施の形態を示す。ヘッドセットコードホルダ２９００は、ヘッドセットコード２９６５を直接受け入れ、取り外し可能に固定する本体２９１０にモールド成形された本体２９１０及び溝２９２０を有する。
【０１１１】
図２９Ａ及び図２９Ｂで示すように、本体２９１０は、バックパック２９０５のスターナムストラップ（sternum strap）２９１５に取り付けられる。いくつかの実施の形態において、本体２９１０は、バックパック２９０５のアームストラップに接続する。しかし、当該技術分野で知られているように、本体２９１０は、バックパック２９０５の任意の部分に取り付けることができる。いくつかの実施の形態において、本体２９１０は、バックパック２９０５のスターナムストラップ２９１５で、取り外し可能に取り付けられる。いくつかの実施の形態において、本体２９１０は、１つ以上のフックとループを備えたファスナ装置やスナップを介してスターナムストラップ２９１５に取り外し可能に取り付けられる。しかし、当該技術分野で知られているように、本体２９１０は、任意の機構によってバックパック２９０５に取り外し可能に取り付けることができる。いくつかの実施の形態において、本体２９１０は、更に、１つ以上のランバーパック、スポーツバック、アームバンドに取り付けることができる。
【０１１２】
図２９Ｂに示すように、溝２９２０は、モールド成形、すなわち設けられている。溝２９２０は、ヘッドセットコード２９６５を受け入れて、取り外し可能に固定する。いくつかの実施の形態において、溝２９２０は、ヘッドセットコードを溝２９２０に入れることを可能にする差込口空間２９２５だけを残して、溝２９２０の大部分を囲む溝壁２９３０によって画定される。いくつかの実施の形態において、差込口空間２９２５は、溝２９２０及びヘッドセットコードよりも小さな直径を有し、それによって、溝壁２９３０の範囲内でヘッドセットコードを固定し、それを取り外すためには、かなり大きな力を必要とする。いくつかの実施の形態において、溝壁２９３０の一部は、差込口空間２９２５を介して、ヘッドセットコードを押し込めるように柔軟であり、ヘッドセットコードは、溝壁２９３０をその進行方向に対して外側に広げて、一時的に差込口空間２９２５の直径を拡大し、差込口空間２９２５を通過して溝２９２０内に達することができる。いくつかの実施の形態において、溝壁２９３０はかなり硬く、それによって、ヘッドセットコードが溝壁２９３０の両端部間の差込口空間２９２５を通過するときに、そのスリーブは収縮される。
【０１１３】
図２９Ａで示すように、ヘッドセットコード２９６５は、溝２９２０に取り外し可能に保持される。溝２９２０は、その用途に応じて、様々な方向にモールド成形することができる。いくつかの実施の形態において、溝２９２０は、クリップ端部又は他の支持部材に対して回転するように構成された溝本体に設けられており、それによって、溝２９２０は、所望の位置に回転することができる。
【０１１４】
いくつかの実施の形態において、本発明の溝は、約２ｍｍ以下の直径を有する。いくつかの実施の形態において、本発明の溝は、約１．５ｍｍ以下の直径を有する。なお、様々な溝の大きさは、本発明の範囲内である。さらに、複数本の溝構造は、異なる大きさのヘッドセットコード又は同じヘッドセットコードの異なる部分に適応するために、１つの大きさの、特定の数の溝、あるいは異なる大きさの、特定の数の溝を有するようにしてもよい。
【０１１５】
操作において、電子装置で音声を聞くためにヘッドセット型ヘッドホンを使っている間、ユーザは溝壁の範囲内でヘッドセットコードを固定する。具体的に、ユーザはヘッドセットコードを上述のヘッドセットコードホルダ溝に合わせて、ヘッドセットコードを溝に押し込み、適所で、溝の狭い部分でヘッドセットコードを保持する。これは、ユーザがヘッドセットコードがもつれることなくヘッドセット型ヘッドホンを快適に使用できるようにする。これによって、安価で容易にして、ヘッドセットコードホルダは、電子機器を利用している間、心地よく便利な位置にヘッドセットコードを保持することできる。このように、ここで説明したヘッドセットコードホルダは、多数の利点を有する。
【０１１６】
以上、発明の構成及び動作の原理の理解を容易にするために、特定の実施の形態及びその詳細について説明した。このような特定の実施の形態及びその詳細は、特許請求の範囲を限定するものではない。当業者には明らかなように、選択した実施の形態は、本発明の要旨を逸脱しない範囲において変更することができる。
【図１Ａ】
2013518472.tif 000003
【図１Ｂ】
2013518472.tif 000004
【図１Ｃ】
2013518472.tif 000005
【図１Ｄ】
2013518472.tif 000006
【図２Ａ】
2013518472.tif 000007
【図２Ｂ】
2013518472.tif 000008
【図２Ｃ】
2013518472.tif 000009
【図２Ｄ】
2013518472.tif 000010
【図３Ａ】
2013518472.tif 000011
【図３Ｂ】
2013518472.tif 000012
【図４Ａ】
2013518472.tif 000013
【図４Ｂ】
2013518472.tif 000014
【図５Ａ】
2013518472.tif 000015
【図５Ｂ】
2013518472.tif 000016
【図５Ｃ】
2013518472.tif 000017
【図５Ｄ】
2013518472.tif 000018
【図６Ａ】
2013518472.tif 000019
【図６Ｂ】
2013518472.tif 000020
【図６Ｃ】
2013518472.tif 000021
【図７Ａ】
2013518472.tif 000022
【図７Ｂ】
2013518472.tif 000023
【図７Ｃ】
2013518472.tif 000024
【図７Ｄ】
2013518472.tif 000025
【図８】
2013518472.tif 000026
【図９Ａ】
2013518472.tif 000027
【図９Ｂ】
2013518472.tif 000028
【図１０Ａ】
2013518472.tif 000029
【図１０Ｂ】
2013518472.tif 000030
【図１１Ａ】
2013518472.tif 000031
【図１１Ｂ】
2013518472.tif 000032
【図１２】
2013518472.tif 000033
【図１３】
2013518472.tif 000034
【図１４Ａ】
2013518472.tif 000035
【図１４Ｂ】
2013518472.tif 000036
【図１５Ａ−１５Ｂ】
2013518472.tif 000037
【図１５Ｃ−１５Ｅ】
2013518472.tif 000038
【図１５Ｆ−１５Ｇ】
2013518472.tif 000039
【図１５Ｈ−１５Ｉ】
2013518472.tif 000040
【図１６Ａ−１６Ｂ】
2013518472.tif 000041
【図１７Ａ−１７Ｂ】
2013518472.tif 000042
【図１８】
2013518472.tif 000043
【図１９Ａ】
2013518472.tif 000044
【図１９Ｂ】
2013518472.tif 000045
【図１９Ｃ】
2013518472.tif 000046
【図１９Ｄ】
2013518472.tif 000047
【図１９Ｅ】
2013518472.tif 000048
【図２０Ａ】
2013518472.tif 000049
【図２０Ｂ】
2013518472.tif 000050
【図２１】
2013518472.tif 000051
【図２２】
2013518472.tif 000052
【図２３】
2013518472.tif 000053
【図２４Ａ．２４Ｃ】
2013518472.tif 000054
【図２４Ｂ】
2013518472.tif 000055
【図２５Ａ−２５Ｂ】
2013518472.tif 000056
【図２６Ａ】
2013518472.tif 000057
【図２６Ｂ−２６Ｃ】
2013518472.tif 000058
【図２７】
2013518472.tif 000059
【図２８】
2013518472.tif 000060
【図２９Ａ−２９Ｂ】
2013518472.tif 000061
【国際調査報告】
2013518472.tif 000062